(57)【特許請求の範囲】
【請求項１】
１又は複数の室内機と１又は複数の室外機とを有する空調設備と、
前記空調設備専用の通信プロトコルに対応したネットワークである専用伝送線と、
前記空調設備と前記専用伝送線を介して接続され、１又は複数の汎用機器が接続される汎用機器コントローラーと、
前記空調設備及び前記汎用機器コントローラーと、前記専用伝送線を介して接続され、該空調設備を管理するエネルギー管理ゲートウェイと、を備え、
前記エネルギー管理ゲートウェイは、
前記専用伝送線を介して前記空調設備との通信を可能にする専用通信部と、
前記専用通信部を介して受信する各種情報のうち、前記空調設備を管理するために予め登録された管理情報を収集する管理制御部と、
収集された前記管理情報に基づいて、前記空調設備を制御する処理制御部と、
通信プロトコルが外部に公開されるオープンプロトコルにより汎用伝送線を介して外部機器との通信を可能にする汎用通信部と、を有し、
前記汎用機器コントローラーは、
前記空調設備及び前記汎用機器のそれぞれに対応した運転情報が受信又は入力され、前記運転情報に基づいて前記空調設備及び前記汎用機器の制御を行うことを特徴とする空気調和システム。
【請求項２】
１又は複数の室内機と１又は複数の室外機とを有する空調設備と、
前記空調設備専用の通信プロトコルに対応したネットワークである専用伝送線と、
前記空調設備と前記専用伝送線を介して接続され、１又は複数の汎用機器が接続される汎用機器コントローラーと、
前記空調設備及び前記汎用機器コントローラーと、前記専用伝送線を介して接続され、該空調設備を管理するエネルギー管理ゲートウェイと、を備え、
前記エネルギー管理ゲートウェイは、
前記専用伝送線を介して前記空調設備との通信を可能にする専用通信部と、
前記専用通信部を介して受信する各種情報のうち、前記空調設備及び前記汎用機器を管理するために予め登録された管理情報を収集する管理制御部と、
収集された前記管理情報に基づいて、前記空調設備及び前記汎用機器を制御する処理制御部と、
通信プロトコルが外部に公開されるオープンプロトコルにより汎用伝送線を介して外部機器との通信を可能にする汎用通信部と、を有し、
前記汎用機器コントローラーは、
前記空調設備及び前記汎用機器のそれぞれに対応した運転情報が受信又は入力され、前記運転情報に基づいて、前記空調設備及び前記汎用機器の制御を行うことを特徴とする空気調和システム。
【請求項３】
１又は複数の室内機と１又は複数の室外機とを有する空調設備と、
前記空調設備専用の通信プロトコルに対応したネットワークである専用伝送線と、
前記空調設備と前記専用伝送線を介して接続され、１又は複数の汎用機器が接続される汎用機器コントローラーと、
前記空調設備及び前記汎用機器コントローラーと、前記専用伝送線を介して接続され、該空調設備を管理するエネルギー管理ゲートウェイと、を備え、
前記エネルギー管理ゲートウェイは、
前記専用伝送線を介して前記空調設備との通信を可能にする専用通信部と、
前記専用通信部を介して受信する各種情報のうち、前記空調設備を管理するために予め登録された管理情報を収集する管理制御部と、
収集された前記管理情報に基づいて、前記空調設備の管理に関する演算処理を実行し、前記空調設備を制御する処理制御部と、を有し、
前記処理制御部は、前記空調設備から前記専用伝送線上に流れている前記管理情報を予め定めた期間で取得しなかった場合、取得予定である前記管理情報の送信要求を行うものであり、
前記汎用機器コントローラーは、
前記空調設備及び前記汎用機器のそれぞれに対応した運転情報が受信又は入力され、前記運転情報に基づいて、前記汎用機器の制御を行うことを特徴とする空気調和システム。
【請求項４】
１又は複数の室内機と１又は複数の室外機とを有する空調設備と、
前記空調設備専用の通信プロトコルに対応したネットワークである専用伝送線と、
前記空調設備と前記専用伝送線を介して接続され、１又は複数の汎用機器が接続される汎用機器コントローラーと、
前記空調設備及び前記汎用機器コントローラーと、前記専用伝送線を介して接続され、該空調設備を管理するエネルギー管理ゲートウェイと、を備え、
前記エネルギー管理ゲートウェイは、
前記専用伝送線を介して前記空調設備との通信を可能にする専用通信部と、
前記専用通信部を介して受信する各種情報のうち、前記空調設備及び前記汎用機器を管理するために予め登録された管理情報を収集する管理制御部と、
収集された前記管理情報に基づいて、前記空調設備及び前記汎用機器を制御する処理制御部と、を有し、
前記処理制御部は、前記空調設備から前記専用伝送線上に流れている前記管理情報を予め定めた期間で取得しなかった場合、取得予定である前記管理情報の送信要求を行うものであり、
前記汎用機器コントローラーは、
前記空調設備及び前記汎用機器のそれぞれに対応した運転情報及び検出情報が入力され、前記運転情報及び検出情報に基づいて、前記汎用機器の制御を行うことを特徴とする空気調和システム。
【請求項５】
１又は複数の室内機と１又は複数の室外機とを有する空調設備と、
前記空調設備専用の通信プロトコルに対応したネットワークである専用伝送線と、
前記空調設備と前記専用伝送線を介して接続され、１又は複数の汎用機器が接続される汎用機器コントローラーと、
前記空調設備及び前記汎用機器コントローラーと、前記専用伝送線を介して接続され、該空調設備を管理するエネルギー管理ゲートウェイと、を備え、
前記エネルギー管理ゲートウェイは、
前記専用伝送線を介して前記空調設備との通信を可能にする専用通信部と、
前記専用通信部を介して受信する各種情報のうち、前記空調設備を管理するために予め登録された管理情報を収集する管理制御部と、
収集された前記管理情報に基づいて、前記空調設備の管理に関する演算処理を実行し、前記空調設備を制御する処理制御部と、
前記管理情報を変更する管理情報変更部と、
前記管理情報の変更を規制する変更内容規制部と、を有し、
前記管理情報変更部は、前記管理情報への変更要求があった情報が、前記変更内容規制部で前記管理情報への変更が規制されている情報か否かを判断し、変更が規制されていない前記管理情報の場合に、前記管理情報の内容を変更するものであり、
前記汎用機器コントローラーは、
前記空調設備及び前記汎用機器のそれぞれに対応した運転情報が受信又は入力され、前記運転情報に基づいて、前記汎用機器の制御を行うことを特徴とする空気調和システム。
【請求項６】
１又は複数の室内機と１又は複数の室外機とを有する空調設備と、
前記空調設備専用の通信プロトコルに対応したネットワークである専用伝送線と、
前記空調設備と前記専用伝送線を介して接続され、１又は複数の汎用機器が接続される汎用機器コントローラーと、
前記空調設備及び前記汎用機器コントローラーと、前記専用伝送線を介して接続され、該空調設備を管理するエネルギー管理ゲートウェイと、を備え、
前記エネルギー管理ゲートウェイは、
前記専用伝送線を介して前記空調設備との通信を可能にする専用通信部と、
前記専用通信部を介して受信する各種情報のうち、前記空調設備及び前記汎用機器を管理するために予め登録された管理情報を収集する管理制御部と、
収集された前記管理情報に基づいて、前記空調設備及び前記汎用機器を制御する処理制御部と、
前記管理情報を変更する管理情報変更部と、
前記管理情報の変更を規制する変更内容規制部と、を有し、
前記管理情報変更部は、前記管理情報への変更要求があった情報が、前記変更内容規制部で前記管理情報への変更が規制されている情報か否かを判断し、変更が規制されていない前記管理情報の場合に、前記管理情報の内容を変更するものであり、
前記汎用機器コントローラーは、
前記空調設備及び前記汎用機器のそれぞれに対応した運転情報及び検出情報が入力され、前記運転情報及び検出情報に基づいて、前記汎用機器の制御を行うことを特徴とする空気調和システム。
【請求項７】
前記管理制御部は、前記汎用機器を管理するために予め登録された情報を前記管理情報として収集するものであり、
前記エネルギー管理ゲートウェイは、前記空調設備から前記専用伝送線上に流れている前記管理情報を予め定めた期間で取得しなかった場合、取得予定である前記管理情報の送信要求を行うことを特徴とする請求項１又は２に記載の空気調和システム。
【請求項８】
前記エネルギー管理ゲートウェイは、前記管理情報を変更する管理情報変更部、及び前記管理情報の変更を規制する変更内容規制部を有し、
前記管理情報変更部は、前記管理情報への変更要求があった情報が、前記変更内容規制部で前記管理情報への変更が規制されている情報か否かを判断し、変更が規制されていない前記管理情報の場合に、前記管理情報の内容を変更することを特徴とする請求項１又は２に記載の空気調和システム。
【請求項９】
前記処理制御部は、前記汎用機器コントローラーを介して前記汎用機器を前記空調設備に連携させて制御することを特徴とする請求項２、４、又は６の何れか一項に記載の空気調和システム。
【請求項１０】
前記汎用機器コントローラーは、さらに前記エネルギー管理ゲートウェイからの制御指示に基づいて前記汎用機器の制御を行うことを特徴とする請求項１〜９の何れか一項に記載の空気調和システム。
【請求項１１】
前記専用通信部が受信する各種情報は、前記空調設備の前記運転情報と前記空調設備のセンサの検出情報、及び前記汎用機器の前記運転情報を少なくとも含むことを特徴とする請求項１〜９の何れか一項に記載の空気調和システム。
【請求項１２】
前記検出情報は、前記空調設備又は前記汎用機器のセンサの検出情報であることを特徴とする請求項４又は６に記載の空気調和システム。
【請求項１３】
前記専用通信部が受信する各種情報は、前記空調設備又は前記汎用機器の各機器を特定する管理アドレス及びデータ内容を示す通信コマンドを含み、
前記管理制御部は、前記管理アドレス及びデータ内容を示す通信コマンドに基づいて前記管理情報を収集することを特徴とする請求項１〜９の何れか一項に記載の空気調和システム。
【請求項１４】
前記管理アドレスは、送信元又は送信先アドレスであることを特徴とする請求項１３に記載の空調システム。
【請求項１５】
前記専用通信部は、前記専用伝送線を流れる前記管理アドレス及び前記通信コマンドを受信することを特徴とする請求項１３に記載の空気調和システム。
【請求項１６】
前記専用通信部が受信する前記管理アドレス及び前記通信コマンドは、前記空調設備間の制御指令であることを特徴とする請求項１３に記載の空気調和システム。
【請求項１７】
前記汎用機器コントローラーは、受信又は入力される前記運転情報又は検出情報の内、前記空調設備又は前記汎用機器を管理するために予め登録された前記管理情報を収集し、収集した前記管理情報に基づいて前記空調設備又は前記汎用機器の制御を行うことを特徴とする請求項４又は６に記載の空気調和システム。
【請求項１８】
前記管理情報は、前記空調設備又は前記汎用機器の各機器を特定する管理アドレス毎に登録されていることを特徴とする請求項１〜９の何れか一項に記載の空気調和システム。
【請求項１９】
前記空調設備専用の通信プロトコルは、空調設備メーカの外部に非公開のプロトコルであることを特徴とする請求項１〜９の何れか一項に記載の空気調和システム。
【請求項２０】
前記汎用機器は、前記専用伝送線に接続される前記空調設備と連携した空調制御を行う、換気装置、加湿器、ヒーターの内、少なくとも１つを含むことを特徴とする請求項１〜９の何れか一項に記載の空気調和システム。
【請求項２１】
前記エネルギー管理ゲートウェイは、通信プロトコルが外部に公開されるオープンプロトコルにより汎用伝送線を介して外部機器との通信を可能にする汎用通信部を有し、
前記処理制御部は、前記汎用通信部を介して前記管理情報又は前記演算処理の結果を送信することを特徴とする請求項３又は５に記載の空気調和システム。
【請求項２２】
前記空調設備は、１又は複数の空調制御リモートコントローラーを有し、
前記空調制御リモートコントローラーは、前記汎用機器コントローラーを介して前記汎用機器の検出及び動作情報を受信するとともに、前記汎用機器の制御の操作入力を受付けることを特徴とする請求項１〜９の何れか一項に記載の空気調和システム。
【請求項２３】
前記処理制御部は、更新可能なプログラムモジュールで形成されたことを特徴とする請求項１〜９の何れか一項に記載の空気調和システム。
【発明の詳細な説明】
【技術分野】
【０００１】
本発明は、空気調和システムに関する。
【背景技術】
【０００２】
従来、色々なビル内に配置された複数の空気調和設備（以下、空調設備という）を、遠隔に設置された情報収集センターに接続して遠隔監視するシステムがある。このビル空調遠隔管理システムは、情報収集センターを運営する事業者が、所定の外部通信機能を有する空調設備を配備しているビルのオーナー又は空調設備の使用者に対して様々なサービスを提供するためのシステムである。【０００３】
ビル空調遠隔管理システムは、情報収集センター内のサーバコンピュータと、そのサーバコンピュータに対して定期的に所定のデータ送信を行う複数の空調設備の設備管理装置とから構成されている。この遠隔監視システムにおいて、例えば、設備を監視する監視者が、伝送不良等の設備を阻害する不具合が生じた場合に、その不具合をビルのオーナー又は空調設備の使用者に早く報知できる設備監視システム及び設備情報管理装置が提案されている（特許文献１参照）。
【先行技術文献】
【特許文献】
【０００４】
【特許文献１】特開２００４−２９９０４号公報（段落［００１７］及び第１図）
【発明の概要】
【発明が解決しようとする課題】
【０００５】
しかしながら、特許文献１等に記載された従来のビル空調遠隔管理システムは、情報収集センターがサービスを行うものであり、例えば、ビルのオーナー又は空調設備の使用者等によって、個別の要求に応じたビル内の空気調和制御システムの管理を行うものではなかった。また、ビルのオーナー又は空調設備の使用者等は、自己が管理する空気調和システムについて、空調設備間の既存の専用プロトコル通信網（伝送線）を活用して、空調設備の他にも、加湿器、ヒーター等の汎用機器と連携した空気調和制御を行う際に、各機器を統合管理したいとの要望があった。【０００６】
本発明は上記の課題を解決するものであり、空調設備専用の通信プロトコルに対応したネットワークである専用伝送線を活用できるとともに、空調設備と汎用機器を連携した空気調和制御を行い、空調設備と汎用機器の各機器を統合管理できる空気調和システムを提供することを目的とする。
【課題を解決するための手段】
【０００７】
本発明に係る空気調和システムは、１又は複数の室内機と１又は複数の室外機とを有する空調設備と、空調設備専用の通信プロトコルに対応したネットワークである専用伝送線と、空調設備と専用伝送線を介して接続され、１又は複数の汎用機器が接続される汎用機器コントローラーと、空調設備及び汎用機器コントローラーと、専用伝送線を介して接続され、該空調設備を管理するエネルギー管理ゲートウェイと、を備え、エネルギー管理ゲートウェイは、専用伝送線を介して空調設備との通信を可能にする専用通信部と、専用通信部を介して受信する各種情報のうち、空調設備を管理するために予め登録された管理情報を収集する管理制御部と、収集された管理情報に基づいて、空調設備を制御する処理制御部と、通信プロトコルが外部に公開されるオープンプロトコルにより汎用伝送線を介して外部機器との通信を可能にする汎用通信部と、を有し、汎用機器コントローラーは、空調設備及び汎用機器のそれぞれに対応した運転情報が受信又は入力され、前記運転情報に基づいて空調設備及び汎用機器の制御を行うものである。
【発明の効果】
【０００８】
本発明の空気調和システムによれば、空調設備専用の通信プロトコルに対応したネットワークである専用伝送線を活用できるとともに、空調設備及び汎用機器が連携した空気調和制御を行い、空調設備及び汎用機器の各機器を統合管理することができる。
【図面の簡単な説明】
【０００９】
【図１】本発明の実施の形態１に係る空気調和システム１を中心とする構成の概観を示す図である。
【図２】本発明の実施の形態１に係る室外機５１の構成例を表す図である。
【図３】本発明の実施の形態１に係る室内機５３の構成例を表す図である。
【図４】本発明の実施の形態１に係る汎用機器コントローラー１１の詳細構成の一例を示す図である。
【図５】本発明の実施の形態１に係るエネルギー管理ゲートウェイ１３の詳細構成の一例を示す図である。
【図６】本発明の実施の形態２に係る空気調和システム１内での通信例を示す図である。
【図７】本発明の実施の形態２に係る空気調和システム１内で通信される通信フレームの一例を示す図である。
【図８】本発明の実施の形態３に係る空気調和システム１内での通信例を示す図である。
【図９】本発明の実施の形態４に係る空気調和システム１内での通信例を示す図である。
【図１０】本発明の実施の形態５に係る汎用機器コントローラー１１の制御例を説明するフローチャートである。
【図１１】本発明の実施の形態５に係る汎用機器コントローラー１１の制御例を説明するフローチャートである。
【図１２】本発明の実施の形態５に係る汎用機器コントローラー１１の制御例を説明するフローチャートである。
【図１３】本発明の実施の形態５に係る汎用機器コントローラー１１の制御例を説明するフローチャートである。
【図１４】本発明の実施の形態５に係る汎用機器コントローラー１１の制御例を説明するフローチャートである。
【図１５】本発明の実施の形態６に係るエネルギー管理ゲートウェイ１３の制御例を説明するフローチャートである。
【図１６】本発明の実施の形態６に係るエネルギー管理ゲートウェイ１３の制御例を説明するフローチャートである。
【図１７】本発明の実施の形態６に係るエネルギー管理ゲートウェイ１３の制御例を説明するフローチャートである。
【図１８】本発明の実施の形態６に係るエネルギー管理ゲートウェイ１３の制御例を説明するフローチャートである。
【図１９】本発明の実施の形態６に係るエネルギー管理ゲートウェイ１３の制御例を説明するフローチャートである。
【発明を実施するための形態】
【００１０】
以下に、本発明の実施の形態１〜６に係る空気調和システム１について、図面を参照して説明する。また、以下の説明において、理解を容易にするために、方向を表す用語（例えば「右」、「左」、「前」、「後」等）等を適宜用いるが、説明のためのものであって、これらの用語は本願に係る発明を限定されるものではない。また、各実施の形態１〜６で説明した機器及び事項を適宜組み合わせて用いることが可能である。
【００１１】
実施の形態１．
図１は、本発明の実施の形態１に係る空気調和システム１を中心とする構成の概観を示す図である。ここで、本構成は一例であって、本発明はこの構成に限定されるものではない。図１に示すように、空気調和システム１は、エネルギー管理ゲートウェイ１３、空調設備２３、汎用機器コントローラー１１、汎用機器２１、及び専用伝送線（専用通信網）３３から構成される。空気調和システム１は、空調設備２３を構成する室外機５１、室内機５３、及び空調制御リモートコントローラー７１、汎用機器コントローラー１１、並びにエネルギー管理ゲートウェイ１３を専用伝送線３３で通信可能に接続し、それぞれ各種情報（データ）を含む信号の通信（送受信）を行うことができる。
【００１２】
エネルギー管理ゲートウェイ１３は、空調設備２３の室外機５１、室内機５３、及び、汎用機器コントローラー１１に接続されている加湿器１０１、ヒーター１０３、換気扇１０５及び温度／湿度センサー１０７等の汎用機器２１の制御を行う制御対象の機器に対して、制御内容に基づく制御指令（制御指示）の信号等を送信する。ここで、専用伝送線３３を介して行われる機器間の通信は、独自の通信方式（プロトコル）で、空気調和に係る通信が行われる。この独自の通信方式とは、各メーカ独自に構築した空調設備２３間の通信専用の通信プロトコルであり、一般に公開されていない非公開の通信プロトコルをいう。また、専用伝送線３３で接続する室外機５１、室内機５３、及び汎用機器２１等の各機器は、例えば通信における固有の番号及びアドレス等（以下、管理アドレスという）を有しており、区別されているものとする。また、各機器が通信を行う際には、信号の送信先及び送信元のアドレスのデータを含めた信号を送信するものとする。
【００１３】
また、エネルギー管理ゲートウェイ１３は、通信プロトコルが外部に公開される、いわゆるオープンプロトコルにより通信を行う汎用伝送線（汎用通信網）３５、例えば、汎用伝送線３５を介して、エネルギー管理装置９１又はＷＥＢブラウザ９３等の各種の外部装置２５と接続して通信を行う。また、エネルギー管理ゲートウェイ１３は、汎用伝送線３５に接続している無線送信機器９５を介して、外部装置２５となるタブレット端末９７とも接続し、通信を行う。
【００１４】
なお、ここでのオープンプロトコルとは、ＬＯＮＷＯＲＫＳ（エシェロン社の登録商標）プロトコル又はＢＡＣｎｅｔ（米国冷凍空調学会の登録商標）プロトコル（Ａ  Ｄａｔａ  Ｃｏｍｍｕｎｉｃａｔｉｏｎ  Ｐｒｏｔｏｃｏｌ  ｆｏｒ  Ｂｕｉｌｄｉｎｇ  Ａｕｔｏｍａｔｉｏｎ  ａｎｄ  Ｃｏｎｔｒｏｌ  Ｎｅｔｗｏｒｋｓ）などである。エネルギー管理装置９１は、例えば、空気調和システムの他に、照明システム若しくはエレベーターシステム等のビル内に設置された各システムのエネルギー使用状況（電力使用状況）を統合管理し、又は複数のビル群のエネルギー使用状況を統合管理等する装置である。
【００１５】
また、汎用機器コントローラー１１と汎用機器２１とは、入力信号及び出力信号により入出力処理を行う入出力信号線で接続されるが、エネルギー管理ゲートウェイ１３と外部装置２５間と同様にＬＡＮなどの入出力信号線３１を介して接続し、汎用機器コントローラー１１と汎用機器２１とが汎用伝送線３５を介して通信を行う構成とすることができる。
【００１６】
（空調設備）
空調設備２３は、専用伝送線３３を介して専用の通信プロトコルにより通信を行い、例えばビル等の建物に設けられた、１又は複数の室外機５１と、１又は複数の室内機５３とで構成され、ビル等の冷暖房に使用される設備である。ただ、空調設備２３の構成はこれに限定されるものではない。通常、空調設備２３には、１又は複数の空調制御リモートコントローラー７１が更に設けられている。また、室外機５１と各室内機５３とは冷媒配管４１により接続されており、冷媒配管４１を流れる冷媒の圧力を変化させて冷媒の吸熱、放熱により空気調和を行う。
【００１７】
（室外機）
図２は、本発明の実施の形態１に係る室外機５１の構成例を表す図である。室外機制御手段１３１は、例えば、室外機通信手段１３３が受信したエネルギー管理ゲートウェイ１３等からの信号等に基づいて、室外機５１を構成する各手段の動作を制御する。ここで、室外機制御手段１３１は、処理を行うために必要となるデータを記憶する記憶手段（図示せず）を有している。室外機通信手段１３３は、専用伝送線３３と接続され、専用伝送線３３と室外機制御手段１３１との間における信号通信のインターフェースとなる。室外機温度センサー６１は、室外機５１周辺の温度（気温）を検知する検出手段である。ここで、室外機温度センサー６１は室外機５１の構成の一部として記載しているが、例えば別ユニットで設ける等してもよい。
【００１８】
圧縮機１１１は、吸入した冷媒（気体）を圧縮し、運転周波数に基づく任意の圧力を加えて送り出す（吐出する）。圧縮機１１１は、例えば、運転周波数を任意に変化させることにより容量、具体的には、単位時間あたりの冷媒を送り出す量を変化させるインバータ回路を備えた容量可変のインバータ圧縮機としてもよい。室外機側熱交換器１１５は、熱交換器を通過する冷媒と空気との熱交換を行う。室外機側ファン１２１は、例えば、室外機側熱交換器１１５に熱交換する空気を送るものである。四方切換弁１１３は、例えば、冷房運転、暖房運転に応じて、配管経路の切り替えを行う弁である。アキュムレーター１１９は、液を溜め、気体の冷媒だけを圧縮機１１１に吸入させる装置である。また、室外機側膨張弁１１７は、室外機制御手段１３１の指示に基づいて、弁の開度を調整し、冷媒の流量を制御する。
【００１９】
（室内機）
図３は、本発明の実施の形態１に係る室内機５３の構成例を表す図である。室内機制御手段２３１は、例えば、空調制御リモートコントローラー７１からの操作指令を含む信号、室内機通信手段２３３が受信した信号等に基づいて、室内機５３を構成する各手段の動作を制御する。ここで、室内機制御手段２３１は、処理を行うために必要となるデータを記憶する記憶手段（図示せず）を有しているものとする。室内機通信手段２３３は、専用伝送線３３と接続され、専用伝送線３３と室内機制御手段２３１との間における信号通信のインターフェースとなる。ここで、本実施の形態では、室内機５３は、専用伝送線３３を介して直接信号の送受を行うことができるが、例えば、室外機５１を介して間接に通信を行うようにしてもよい。
【００２０】
室内機温度センサー６５は、例えば、室内機５３が設けられた室内の温度（気温）を検知する検出手段である。また、室内機湿度センサー６３は室内の湿度を検知する検出手段である。室内機温度センサー６５及び室内機湿度センサー６３の検知に係る信号は、室内機制御手段２３１に送信される。ここで、室内機温度センサー６５及び室内機湿度センサー６３は室内機５３の構成の一部として記載しているが、例えば、別ユニットで設けてもよい。室内機制御手段２３１は、その信号に基づいて、温度、湿度に係るデータを生成する。また、室内機制御手段２３１は、温度及び湿度のデータを含む信号を室外機５１、エネルギー管理ゲートウェイ１３、及び汎用機器コントローラー１１に送信する。
【００２１】
室内機側熱交換器２１５は、熱交換器内を通過する冷媒と空気との熱交換を行う。室内機側ファン２２１は、室内機側熱交換器２１５に空気を送り、熱交換させ、さらに熱交換された空気を室内に送り込む。室内機側膨張弁２１７は、室内機制御手段２３１の指示に基づいて、弁の開度を調整し、冷媒の流量を制御する。この結果、室内機側熱交換器２１５を通過する冷媒量が制御され、室内機側熱交換器２１５における冷媒の蒸発等が調整される。
【００２２】
（エネルギー管理ゲートウェイ）
エネルギー管理ゲートウェイ１３は、専用伝送線３３を介して通信可能に接続される。エネルギー管理ゲートウェイ１３は、室外機５１、室内機５３、及び空調制御リモートコントローラー７１等の空調設備２３と、加湿器１０１、ヒーター１０３、換気扇１０５、及び温度／湿度センサー１０７等の汎用機器２１とで形成される空気調和システム１内において、管理対象となる機器の集中（統合）制御を行う装置である。
【００２３】
エネルギー管理ゲートウェイ１３は、汎用機器２１の制御をするときには、専用伝送線３３を介して汎用機器コントローラー１１に制御指令等を送る。つまり、エネルギー管理ゲートウェイ１３は、専用伝送線３３及び汎用機器コントローラー１１を介して、汎用機器コントローラー１１に接続された汎用機器２１を制御する。
【００２４】
エネルギー管理ゲートウェイ１３は、予め設定した空気調和システム１の一部又は全ての機器が消費した電力のデータを収集し、集計等の空調設備又は汎用機器の管理に関する演算処理を行う。また、エネルギー管理ゲートウェイ１３は、表示手段を有しているときには、収集した電力のデータ内容又は集計した電力等を表示する。また、エネルギー管理ゲートウェイ１３は、空気調和システム１の一部又は全ての機器の運転時間を積算する等して、課金を行うことができる。
【００２５】
換言すれば、空調設備２３、汎用機器２１等の電力管理を、汎用機器コントローラー１１、専用伝送線３３を介してエネルギー管理ゲートウェイ１３で制御することによって、空気調和システム１全体の省エネルギー化を図ることができる。
【００２６】
また、エネルギー管理ゲートウェイ１３は、空気調和制御について、空調対象空間が目標とする温度（設定温度）の設定に基づき、室内機５３等の空調設備２３を制御することができる。このとき、エネルギー管理ゲートウェイ１３は、目標とする温度範囲、例えば、上限温度及び下限温度が設定されると、セットバック制御を行うことができる。
【００２７】
さらに、エネルギー管理ゲートウェイ１３は、いわゆるオープンプロトコルにより通信を行う汎用伝送線３５、例えば、ＬＡＮ（Ｌｏｃａｌ  Ａｒｅａ  Ｎｅｔｗｏｒｋ）を介して、外部装置２５との間で、空気調和システム１の監視、管理等に係る通信を行うことができる。よって、エネルギー管理ゲートウェイ１３は、外部装置２５との間で通信インターフェースとしての機能も有する。
【００２８】
例えば、空調設備２３、汎用機器２１等の電力管理を、エネルギー管理ゲートウェイ１３を介してエネルギー管理装置９１で制御することによって、主に、専用伝送線３３で制御される空気調和システム１と、ビル内の他システム（エレベーターシステム等）とを統合したビル全体での省エネルギー化を図ることができる。
【００２９】
なお、外部装置２５に送信する信号に含まれるデータは、エネルギー管理ゲートウェイ１３が、空調設備２３又は汎用機器２１の管理に関する演算等の処理を行って得られた管理に係るデータであって、例えば、空調設備２３のグループ構成、料金等に対応したデータである。また、通信には、例えば、汎用性を有するＸＭＬ（Ｅｘｔｅｎｓｉｂｌｅ  Ｍａｒｋｕｐ  Ｌａｎｇｕａｇｅ）を送受信できるようなプロトコルが用いられる。
【００３０】
次に、エネルギー管理ゲートウェイ１３の通信及び処理等に係る装置構成について説明する。図５は、本発明の実施の形態１に係るエネルギー管理ゲートウェイ１３の詳細構成の一例を示す図である。図５に示すように、エネルギー管理ゲートウェイ１３は、汎用通信部３５１、専用通信部３５３、処理制御部３５５、記憶部３５７、及び管理制御部３５９を備える。
【００３１】
専用通信部３５３は、専用伝送線３３と接続されており、空調設備２３の汎用機器コントローラー１１と専用のプロトコルに対応した通信を行うインターフェースの機能を有する。専用通信部３５３は、専用伝送線３３を流れる信号を受信してデータを抽出し、管理制御部３５９から送られる空気調和システム１に対する制御指令を専用伝送線３３に送る。
【００３２】
処理制御部３５５は、エネルギー管理ゲートウェイ１３の機能を実現する処理、具体的には、空調設備２３、汎用機器２１といった空気調和システム１内の各機器の制御指令に関する処理を行う。処理制御部３５５は、処理内容の手順を予め１又は複数のプログラムモジュールで構成されるアプリケーションとして有している。処理制御部３５５は、プログラムモジュールに記述されたプログラムを実行することで各装置の機能を実現する。
【００３３】
よって、処理制御部３５５は、各装置に必要となるプログラムをメモリ等（図示せず）に記憶させ、実行させるようにすることで、各装置に対応した処理制御手段を構成することができる。したがって、専用設計等が行われることで各装置の処理制御手段を構成させる必要がなく、設計時間の短縮等を図ることができる。また、処理制御部３５５は、各処理内容をアプリケーションとして有しているため、機能の追加、削除等が簡単に実施可能である。
【００３４】
なお、処理制御部３５５は、例えば、更新可能なプログラムモジュールとして形成される。よって、各種媒体を介してエネルギー管理ゲートウェイ１３に実装させることが可能である。例えば、ｍｉｃｒｏＳＤ（ＳＤアソシエーションの登録商標）を介してエネルギー管理ゲートウェイ１３にアップロードされることで実装させてもよい。また、処理制御部３５５は、汎用通信部３５１又は専用通信部３５３を介してエネルギー管理ゲートウェイ１３にアップロードされることで実装させてもよい。
【００３５】
管理制御部３５９は、処理制御部３５５から出力される指令に基づき、空気調和システム１内の制御指令に係る信号等を、専用伝送線３３を介して、空調設備２３又は汎用機器２１等に送る制御を行う。
【００３６】
記憶部３５７の管理情報記憶領域３７１には、エネルギー管理ゲートウェイ１３が空調設備２３又は汎用機器２１を制御又は管理するための管理情報が記憶されている。管理情報収集部３８１は、専用通信部３５３で受信した空調設備２３及び汎用機器２１に係る運転及び動作情報、又は、空調設備２３及び汎用機器２１に係るセンサー及びアクチュエータの検出情報といった各種情報（データ）のうち、予め登録されている管理情報を収集（取得）する。
【００３７】
ここで、運転・動作情報は、例えば、運転及び停止状態、運転モード、風量、風向き、消費電力量、並びに室内の設定温度等である。一方、各種センサーの検出情報は、室内温度、室内湿度、室外湿度、室内機の吸い込み温度、冷媒圧力、及び各機器の状態等であり、出力情報も含むものとする。
【００３８】
つまり、管理情報とは、空調設備２３及び汎用機器２１に係る運転及び動作情報、又は、空調設備２３及び汎用機器２１に係る各種センサー及びアクチュエータの検出情報の各種情報（データ）のうち、エネルギー管理ゲートウェイ１３が空調設備２３又は汎用機器２１を制御又は管理するために必要な管理情報として設定されている情報をいう。
【００３９】
また、専用伝送線３３で接続する室外機５１、室内機５３、及び汎用機器２１等の各機器は、先に説明した通り、通信における固有のアドレスである管理アドレスによって区別されている。よって、各機器が通信を行う際には、各機器は、信号の送信先、送信元のアドレスのデータ（情報）を含めた信号を送信する。
【００４０】
このため、管理アドレスとは、管理情報の送信元又は送信先アドレスである。よって、管理アドレスが特定されることで、空気調和システム１を構成する空調設備２３及び汎用機器２１の各機器が特定される。したがって、空気調和システム１は、管理アドレス毎に管理情報を登録させ、記憶部３５７の管理情報記憶領域に記憶させることもできる。
【００４１】
また、処理制御部３５５は、記憶部３５７の管理情報記憶領域３７１から管理情報を読み出すことができる。また、処理制御部３５５は、記憶部３５７の管理情報記憶領域３７１から読み出した管理情報に基づいて、空気調和システム１の消費電力、空調能力等の空気調和システム１を管理する各種演算（計算）処理を行うことができる。また、空気調和システム１は、記憶部３５７に記憶された管理情報に基づいて空調設備２３及び汎用機器を連携させた空気調和に関する統合制御を行う。
【００４２】
また、管理情報には、空気調和システム１の運転情報又は検出情報をデータ加工した情報が含まれていてもよい。予め登録する管理情報に、エネルギー管理に必要なデータ加工した情報を含めることによって、処理制御部３５５での空気調和システム１の消費電力及び空調能力等の各種演算（計算）につき、照明システム又はエレベーターシステムといったような他のビル内システムの各種演算と比較的容易に共通化を行うことができ、処理制御部３５５を空気調和システム１専用ではない汎用のシステムで構成することもできる。
【００４３】
また、管理制御部３５９で登録する管理情報を設定するため、専用伝送線３３で受信する各種情報が管理情報であるかどうかを受信毎に処理制御部３５５で判断する必要がないため、処理制御部３５５の情報処理量を軽減することができる。
【００４４】
管理制御部３５９は、予め登録されている管理情報を変更する管理情報変更部３８３を有しており、例えば、処理制御部３５５からの変更要求に基づき、予め登録されている管理情報の変更処理を行う。
【００４５】
また、管理制御部３５９は、管理情報の変更に規制をかける変更内容規制部３８５を更に有しており、専用伝送線３３で受信する各種情報のうち、管理情報に変更（設定）できない情報を、変更が規制されている情報として、記憶部３５７の変更内容規制領域３７５に予め記憶される。例えば、管理制御部３５９は、室内機５３が取得する温度データを変更可能とし、圧縮機１１１の運転周波数を変更不可とした場合、変更内容規制領域３７５には、変更が可能であるデータ（情報）と、変更が不可であるデータ（情報）とが識別可能に構成されている。
【００４６】
管理制御部３５９の管理情報変更部３８３は、管理情報への変更要求があった情報が、記憶部３５７の変更内容規制領域３７５に記憶されたものであるか否かを判断する。具体的には、管理制御部３５９の管理情報変更部３８３は、管理情報への変更要求があった情報が、変更が規制されている情報であるか否かを判断する。なお、記憶部３５７の変更内容規制領域３７５には、変更が規制されている情報が、予め記憶されているものと想定する。
【００４７】
管理制御部３５９は、変更が規制されていない管理情報の場合には、記憶部３５７の管理情報記憶領域３７１に記憶されている管理情報の内容を変更し、変更要求があった情報を管理情報として追加する。また、管理情報変更部３８３は、管理情報記憶領域３７１に記憶する管理情報の内容を変更すると、併せて、記憶部３５７の変更履歴記憶領域３７３に管理情報の変更履歴を記憶する。このため、記憶部３５７の変更された管理情報の履歴を確認することによって、状況に応じて必要となる管理情報を特定することが可能となる。
【００４８】
このため、管理情報変更部３８３は、変更した管理情報を管理し、変更して過去値となった管理情報を変更履歴記憶領域３７３に記憶させ、変更して最新値となった管理情報を管理情報記憶領域３７１に記憶させる。管理制御部３５９の変更内容規制部３８５は、変更内容規制領域３７５を参照することで、ユーザーによって実装された処理制御部３５５で編集可能な管理情報を管理する。
【００４９】
記憶部３５７の管理情報記憶領域３７１には、最新値の管理情報及びアプリケーション用入出力情報が記憶される。最新値の管理情報は、エネルギー管理ゲートウェイ１３が保持する最も新しい管理情報である。このアプリケーション用入出力情報は、アプリケーション用入力情報と、アプリケーション用出力情報とから構成される情報である。アプリケーション用入力情報は、処理制御部３５５が各種演算を実行するとき、その演算の実行に用いられる入力パラメータである。この入力パラメータは、汎用通信部３５１又は専用通信部３５３から供給される。アプリケーション用出力情報は、処理制御部３５５が各種演算を実行し、出力する出力パラメータである。この出力パラメータは、例えば、室外機５１又は室内機５３の各種情報又は制御パラメータであり、専用通信部３５３を介して室外機５１又は室内機５３に供給される。
【００５０】
汎用通信部３５１は、汎用伝送線３５と接続され、汎用伝送線３５又は無線送信機器９５を介して、外部装置２５との通信インターフェースの機能を有している。汎用通信部３５１は、汎用伝送線３５を流れる信号を受信してデータを抽出する。また、処理制御部３５５の送信指令に基づき、管理制御部３５９の管理情報収集部３８１で収集した空気調和システム１の管理情報、又は、空調設備２３若しくは汎用機器２１の管理に関する演算等の処理結果を汎用伝送線３５に送る。
【００５１】
なお、汎用通信部３５１は、例えば、経路制御機能を有するルーター等で構成されてもよい。また、汎用通信部３５１は、所定の通信プロトコルに準拠したデータに変換できるものであってもよい。具体的には、ＩＥＥＥ８０２．１１に準拠したものであってもよい。また、例えば、Ｂｌｕｅｔｏｏｔｈ（登録商標）等のようなＩＥＥＥ８０２．１５に準拠したデータに変換できるものであってもよい。
【００５２】
エネルギー管理ゲートウェイ１３は、専用通信部３５３と汎用通信部３５１とを有している。よって、エネルギー管理ゲートウェイ１３は、専用伝送線３３を介した専用のプロトコルに対応した通信を、専用通信部３５３及び汎用通信部３５１によってプロトコル変換を行い、汎用伝送線３５を介して、外部装置２５のエネルギー管理装置９１へ空気調和システム１に関する管理情報の送信を行うことができる。
【００５３】
エネルギー管理ゲートウェイ１３の専用通信部３５３及び汎用通信部３５１でプロトコル変換が行われるため、空気調和システム１からの情報授受（受信及び送信）において、個々にプロトコル変換を行う必要が無く、既存の空気調和システム１内の各機器を空気調和制御する通信に負荷がかかることがない。よって、空気調和システム１の専用伝送線３３の通信トラフィックに影響を与えずに、オープンプロトコルへのプロトコル変換が実現可能である。
【００５４】
また、専用伝送線３３を介して専用通信部３５３で受信する空気調和システム１の運転情報又は検出情報といった各種情報のうち、予め登録されている管理情報のみを処理制御部３５５で出力することができる。よって、不必要な情報の流出防止となるとともに処理制御部３５５での処理負荷軽減も図ることができる。
【００５５】
また、エネルギー管理ゲートウェイ１３の記憶部３５７及び管理制御部３５９の全部又は一部の機能及び構成については、エネルギー管理ゲートウェイ１３に装着されるメモリーカードによって実現することもできる。このメモリーカードの実装形態は特に限定されず、例えば、ＳＲＡＭ（Ｓｔａｔｉｃ  Ｒａｎｄｏｍ  Ａｃｃｅｓｓ  Ｍｅｍｏｒｙ）、ＣｏｍｐａｃｔＦｌａｓｈ（登録商標）、ＡＴＡ（ＡＴ  Ａｔｔａｃｈｍｅｎｔ）カードを実装される。エネルギー管理ゲートウェイ１３の記憶部３５７及び管理制御部３５９の全部又は一部にメモリーカードを用いることによって、記憶部３５７及び管理制御部３５９の内容更新の際、メモリーカードの交換により簡易に内容の更新をすることができる。
【００５６】
（汎用機器コントローラー）
汎用機器コントローラー１１は、１又は複数の汎用設備機器等で構成される汎用機器２１を制御する装置であり、専用伝送線３３と１又は複数の汎用設備機器等で構成される汎用機器２１の間に接続されている。
【００５７】
専用伝送線３３に直接接続することができない１又は複数の汎用機器２１と、専用伝送線３３との間に、汎用機器コントローラー１１が接続されることによって、１又は複数の汎用機器２１の制御が実現されている。
【００５８】
汎用機器コントローラー１１は、エネルギー管理ゲートウェイ１３と、空調設備２３との間の専用プロトコルに対応した通信信号又はデータの形式が、汎用機器２１における形式と異なる場合、汎用機器２１を制御するための操作信号への形式変換を行って汎用機器２１に出力する。
【００５９】
汎用機器コントローラー１１は、汎用機器２１からの制御信号及び検出信号を、空調設備２３専用のプロトコル通信に対応した通信信号又はデータに形式変換を行い、専用伝送線３３を介して、エネルギー管理ゲートウェイ１３又は空調設備２３に送信する。
【００６０】
汎用機器コントローラー１１は、例えば、専用伝送線３３を介して、エネルギー管理ゲートウェイ１３から送られた汎用機器２１の制御指令に基づいて、アクチュエータ等を備えた汎用機器２１を制御する。また、汎用機器コントローラー１１は、温度／湿度センサー１０７等の汎用機器２１からの検出信号の形式変換等を行って、専用伝送線３３側に検出情報の送信を行う。
【００６１】
なお、汎用機器２１は、空気調和システム１と連携して空気調和を行う機器である。例えば、汎用機器２１は、空調対象空間の空気の入れ換えを行う換気扇１０５、空調対象空間の加湿（湿度制御）を行う加湿器１０１、空調対象空間の加熱を行うヒーター１０３等のアクチュエータを備えた機器、温度等の物理量を検出する温度／湿度センサー１０７等の各種センサー等である。また、汎用機器２１は、他の空気調和に係る機器だけでなく、照明装置又は照明システム、防災装置又は防災システム等のように、空気調和システム１と連携した動作を実施する他の設備機器、システム等であってもよい。
【００６２】
換言すれば、空調設備２３と汎用機器２１との連携制御を可能にする汎用機器コントローラー１１を備えることで、空気調和制御の幅を広げることができる。また、ビル等の異なる被空調空間に対応させて個々の空気調和システム１を構築する際、空気調和システム１内の制御対象には、空調設備２３に加えて汎用機器２１を含めることができる。よって、汎用機器２１の活用によって独自開発等する機器が減少し、空気調和システム１の開発全体のコストを低減させることができる。
【００６３】
次に、汎用機器コントローラー１１の通信及び処理等に係る装置構成について説明する。図４は、本発明の実施の形態１に係る汎用機器コントローラー１１の詳細構成の一例を示す図である。図４に示すように、汎用機器コントローラー１１は、受電部３０１、専用通信部３０３、及び機器制御部３０４を備える。機器制御部３０４は、空調設備管理部３０５及び汎用機器管理部３０７を備える。
【００６４】
機器制御部３０４には、空調設備２３と、汎用機器コントローラー１１に接続されている汎用機器２１とで形成される空気調和システム１全体での連携制御アルゴリズムが予め設定可能である。この連携制御アルゴリズムは、空調設備２３の室内機５３及び室外機５１、並びに汎用機器コントローラー１１に接続されている汎用機器２１の機器内容若しくは各制御に関する情報に基づいて設定される。よって、利用者（操作者）のニーズに応じ、空気調和システム１を構成する各機器の連携制御アルゴリズムが設定される。
【００６５】
汎用機器コントローラー１１は、入出力信号線３１を介して、汎用機器２１と接続されている。よって、汎用機器コントローラー１１は、上記で説明したように、汎用機器２１に制御指令等を出力し、汎用機器２１、例えば、加湿器１０１、ヒーター１０３、及び換気扇１０５等を制御する。
【００６６】
汎用機器コントローラー１１は、専用伝送線３３を介して、エネルギー管理ゲートウェイ１３及び空調設備２３と接続されている。よって、汎用機器コントローラー１１は、空調設備２３、例えば、空調制御リモートコントローラー７１、室外機５１、及び室内機５３の各種情報を取得し、室外機５１及び室内機５３と、汎用機器２１とを連携制御する。
【００６７】
汎用機器コントローラー１１の汎用機器制御部３２３は、エネルギー管理ゲートウェイ１３からの制御指令を専用通信部３０３で受信すると、受信した制御指令を汎用機器入出力部３２５から汎用機器２１に出力する。また、汎用機器コントローラー１１の汎用機器制御部３２３は、汎用機器２１の各種センサからの検出信号が汎用機器入出力部３２５に入力されると、専用通信部３０３から専用伝送線３３を介してエネルギー管理ゲートウェイ１３等に送信する。尚、汎用機器２１への入出力を行う汎用機器入出力部３２５は、汎用機器２１との通信を行う汎用通信部として構成されてもよい。
【００６８】
専用通信部３０３は、専用伝送線３３を流れる信号を受信してデータを抽出するとともに、空調設備管理部３０５又は汎用機器管理部３０７から送られるデータ（情報）を専用伝送線３３に送る。
【００６９】
空調設備管理部３０５は、空調設備２３を制御又は管理するために必要な情報を、管理情報として登録（記憶）している。空調設備管理部３０５は、専用通信部３０３で受信した空調設備２３の運転及び動作情報又は空調設備２３の各種センサ及びアクチュエータの検出情報（データ）のうち、予め管理情報として登録されている情報を収集して、記憶する。空調設備管理部３０５は収集処理を行うためにタイマ等の計時手段を有している。
【００７０】
また、運転及び動作情報は、例えば、運転及び停止状態、運転モード、風量、風向き、消費電力量、並びに室内の設定温度等である。一方、各種センサの検出情報は、室内温度、室内湿度、室外湿度、室内機の吸い込み温度、冷媒圧力、及び各機器の状態等であり、出力情報を含むものである。
【００７１】
空調設備管理部３０５は、空調設備設定部３１１及び空調設備制御部３１３を備える。空調設備設定部３１１は、管理情報を含む各種設定情報等を管理する。空調設備制御部３１３は、空調設備２３に対する制御指令を専用伝送線３３を介して送信し、空調設備２３を制御する。また、専用伝送線３３で接続する室外機５１及び室内機５３等の空調設備２３の各機器は、先に説明した通り、通信における固有のアドレスである管理アドレスによって区別されている。よって、各機器が通信を行う際には、各機器は、信号の送信先、送信元のアドレスのデータ（情報）を含めた信号を送信する。
【００７２】
空調設備設定部３１１は、汎用機器コントローラー１１に専用伝送線３３を介して接続されている空調設備２３との通信に必要な管理アドレス、又は、空調設備２３の各機器の管理情報を含む制御に関する設定を行う。
【００７３】
具体的には、空調設備設定部３１１では、汎用機器コントローラー１１で管理する空調設備２３の各機器の管理アドレスが、管理対象アドレスとして設定可能であるため、管理対象アドレスとして登録（記憶）される。この管理対象アドレスの設定は、アドレス範囲の指定等のように、予め定められた条件に従って設定されてもよい。尚、空調設備管理部３０５での管理情報の登録は、管理対象アドレスとして登録されている管理アドレス毎に設定することもできる。また、空調設備制御部３１３は、空調設備２３及び汎用機器２１から送信及び入力された情報（データ）に基づき、空調設備２３の各機器の制御を行う。
【００７４】
空調設備管理部３０５は、例えば、汎用機器管理部３０７から送られる信号に基づき、指示に係る信号等を、専用伝送線３３を介して、空調制御リモートコントローラー７１、室外機５１、及び室内機５３に送る処理を行う。また、空調設備管理部３０５は、専用伝送線３３を流れる信号を受信してデータを収集等し、汎用機器管理部３０７に送るものと判断したデータを汎用機器管理部３０７に送る処理を行う。空調設備管理部３０５は、空調設備設定部３１１が記憶したデータを含む信号を一定時間毎に汎用機器管理部３０７に送る。
【００７５】
汎用機器管理部３０７は、汎用機器設定部３２１、汎用機器制御部３２３、及び汎用機器入出力部３２５を備える。汎用機器設定部３２１は、汎用機器コントローラー１１に接続されている汎用機器２１の管理情報、機器内容、又は、各制御に関する設定を行う。汎用機器設定部３２１は、汎用機器２１を制御又は管理するために必要な情報を、管理情報として登録（記憶）している。また、汎用機器設定部３２１は、汎用機器２１の運転及び動作情報、又は、空調設備２３及び汎用機器２１の各種センサ及びアクチュエータの検出情報のうちから、予め管理情報として登録されている情報を収集して、記録する。
【００７６】
また、汎用機器２１の各機器は、汎用機器入出力部３２５に対応した管理アドレスによって区別されており、汎用機器設定部３２１での管理情報の登録は、管理アドレス毎に設定することもできる。汎用機器制御部３２３は、空調設備２３及び汎用機器２１から送信及び入力された情報に基づき、汎用機器２１に対する制御を行う。尚、汎用機器設定部３２１に設定された汎用機器２１の設定情報は、汎用機器コントローラー１１の専用通信部３０３から、専用伝送線３３を介してエネルギー管理ゲートウェイ１３に送信することができる。
【００７７】
汎用機器入出力部３２５は、汎用機器入力部３３１及び汎用機器出力部３３３を備える。汎用機器入力部３３１は、汎用機器コントローラー１１への入力インターフェースであり、汎用機器コントローラー１１に接続されている汎用機器２１の各種センサ（検出手段）、例えば、温度／湿度センサー１０７からの検出情報が入力されるとともに、汎用機器２１の運転・動作情報が入力される。汎用機器出力部３３３は、汎用機器コントローラー１１から汎用機器２１への出力インターフェースであり、汎用機器２１としてアクチュエータ等を備える加湿器１０１、ヒーター１０３、及び換気扇１０５等を接続しているときに制御指令等の信号を出力する。
【００７８】
汎用機器制御部３２３は、汎用機器コントローラー１１の機能を実現する処理を行う。汎用機器制御部３２３は、処理内容の手順を予め１又は複数のプログラムモジュールで構成されるアプリケーションとして有しており、プログラムモジュールに記述されたプログラムを実行することで各装置の機能を実現する。各装置に必要となるプログラムを記憶部等（図示せず）に記憶させ、実行させるようにすることで、各装置に対応した処理制御手段を構成することができるので、専用設計する等して各装置の処理制御手段を構成する必要がなく、設計時間の短縮等を図ることができる。また、機能の追加、削除等を簡単に行うことができる。
【００７９】
なお、汎用機器制御部３２３は、例えば、更新可能なプログラムモジュールとして形成される。よって、各種媒体を介して汎用機器コントローラー１１に実装させることが可能である。例えば、ｍｉｃｒｏＳＤ（ＳＤアソシエーションの登録商標）を介して汎用機器コントローラー１１にアップロードされることで実装させてもよい。また、汎用機器制御部３２３は、専用通信部３０３又は汎用機器入力部３３１を介して汎用機器コントローラー１１にアップロードされることで実装させてもよい。
【００８０】
また、汎用機器コントローラー１１は、専用伝送線３３から受電する受電部３０１を有しており、エネルギー管理ゲートウェイ１３及び空調設備２３と通信する専用通信部３０３は、受電部からの受電によって動作する。このため、別途電源を設けることなく、エネルギー管理ゲートウェイ１３及び空調設備２３とのインターフェース機能を構成することができる。尚、受電部３０１は、汎用機器コントローラー１１全体に電力を供給する機能を有するものとすることもできる。例えば、受電部３０１が、商用電源に接続され、又は、二次電池から電力が供給されることで、汎用機器コントローラー１１に電力を供給してもよい。
【００８１】
汎用機器コントローラー１１は、空調設備２３と汎用機器２１から入力される各種センサ等の検出情報と、空調設備２３と汎用機器２１との各機器の運転情報とに基づいて、空調設備２３及び汎用機器２１の各機器の制御を行う。また、各機器の制御に際し、汎用機器コントローラー１１の機器制御部３０４は、設定されている連携制御アルゴリズムに従い、専用通信部３０３から空調設備２３の室内機５３及び室外機５１による空調制御指令を送信するとともに、汎用機器入出力部３２５から汎用機器２１に制御指令を送信する。
【００８２】
このため、空調設備２３及び汎用機器２１がそれぞれ独立した空調制御を行うのではなく、汎用機器コントローラー１１を用いることによって、専用伝送線３３を介した専用通信によって制御される空調設備２３及び汎用機器２１を連携させることで空気調和システム１全体の制御を実現することができる。
【００８３】
また、専用通信部３０３を有する汎用機器コントローラー１１を専用伝送線３３に接続させるため、既存の空調設備２３間の通信方式を変更することなく、空調設備２３のシステム構成を活用して、空調設備２３と汎用機器２１の連携制御を行うことができる。
【００８４】
（空調制御リモートコントローラー）
空調制御リモートコントローラー７１は、操作者の空調設備２３及び汎用機器コントローラー１１に接続された汎用機器２１の運転又は停止、温度又は湿度設定等の各種操作入力を受付けるリモートコントローラーである。空調制御リモートコントローラー７１は、専用伝送線３３を介して室内機５３と接続されている。操作者が空調制御リモートコントローラー７１を用いて入力した設定温度、運転モード等の操作指令の信号を室内機制御手段２３１に送信する。
【００８５】
また、空調制御リモートコントローラー７１と、エネルギー管理ゲートウェイ１３と、汎用機器コントローラー１１とは、室内機５３及び専用伝送線３３を介して接続されており、空調設備２３及び汎用機器２１の運転又は停止、温度又は湿度設定等の各種操作入力情報は、汎用機器コントローラー１１及びエネルギー管理ゲートウェイ１３に送信することができる。空調制御リモートコントローラー７１は、汎用機器コントローラー１１に接続されている汎用機器２１の初期設定を行う汎用機器初期設定部を有しており、汎用機器コントローラー１１の汎用機器初期設定の情報に基づき、汎用機器コントローラー１１に接続されている汎用機器２１の設定を行う。
【００８６】
操作者が空調制御リモートコントローラー７１の操作部７５を介して行う各種操作に基づく信号、例えば、空調設備２３、汎用機器コントローラー１１に接続された汎用機器２１等の運転、停止等の指示、温度、湿度の設定等を専用伝送線３３に送る。このため、空調設備２３及び汎用機器２１の運転、停止、温度又は湿度の設定等が行われる。また、表示部７３を有し、例えば専用伝送線３３を介して送られる信号に含まれる情報（データ）に基づく表示を行う。ここで、空調制御リモートコントローラー７１の表示部７３を、例えば液晶ディスプレイにタッチパネルを重ねて形成するタッチパネル方式とすることで、表示部７３と操作部７５とを一体的に形成でき、表示部７３の表示画面を操作内容に応じて切替えることもでき、空調設備２３に係る操作画面と汎用機器２１に係る操作画面とを切替えて表示できる。
【００８７】
空調制御リモートコントローラー７１の表示を汎用機器操作表示に切替えると、汎用機器設定部３２１で設定された汎用機器２１の運転又は停止、温度又は湿度設定等の各種操作入力を受付ける画面が表示され、汎用機器２１の各種操作入力を受付ける。空調制御リモートコントローラー７１で汎用機器２１の操作入力を受付けると、専用伝送線３３を介して、空調制御リモートコントローラー７１から汎用機器コントローラー１１に操作情報が入力される。汎用機器コントローラー１１の専用通信部３０３で汎用機器２１の操作情報を受信すると、汎用機器コントローラー１１の汎用機器制御部３２３は、汎用機器入出力部３２５を介して操作情報に対応する汎用機器２１の制御を行う。
【００８８】
また、空調制御リモートコントローラー７１は、人感センサー８３、照度センサー８１、温度／湿度センサー８５をさらに有している。人感センサー８３は、空調制御リモートコントローラー７１の近くに人がいるかどうかを判断するための検出手段である。例えば人がいないと判断すると、表示部７３のバックライトを消灯させ、人がいると判断するとリ点灯させることで省エネルギーを図る。照度センサー８１は、空調制御リモートコントローラー７１の周囲における照度を検知する手段である。温度／湿度センサー８５は空調制御リモートコントローラー７１の周囲における温度、湿度を検知する手段である。
【００８９】
従って、空調制御リモートコントローラー７１は、空調設備２３の室内機５３及び室外機５１のみではなく、汎用機器コントローラー１１に接続されている汎用機器２１の操作についても一括して行うことができる。また、汎用機器コントローラー１１と空調制御リモートコントローラー７１とは、専用伝送線３３を介して接続されているため、汎用機器コントローラー１１から接続されている汎用機器２１の情報を受信することもでき、この場合には、空調制御リモートコントローラー７１で操作入力できる汎用機器２１の初期設定作業、及び汎用機器コントローラー１１に接続される汎用機器２１が変更された場合の設定作業を軽減することができる。
【００９０】
また、空調制御リモートコントローラー７１が室内機５３毎に設けられる一例について説明したが、例えば、室内機５３の複数台毎に空調制御リモートコントローラー７１を設けてもよく、空調制御リモートコントローラー７１の台数は特に限定されない。
【００９１】
本実施形態では、エネルギー管理ゲートウェイ１３から空調設備２３への制御指令のみではなく、エネルギー管理ゲートウェイ１３から汎用機器２１への制御指令も、各空調メーカ独自の専用のプロトコルに対応したネットワークである専用伝送線３３を介して送信することができるため、空調設備２３用の既存の専用伝送線３３を活用することができるとともに、汎用機器コントローラー１１の接続を介することによって、エネルギー管理ゲートウェイ１３で空気調和システム１全体の連携した制御を実現することができる。
【００９２】
また、空調設備２３及び汎用機器２１を包括した大規模なシステム又は通信網の構築をすることなく、汎用機器コントローラー１１に汎用機器２１を制御する入出力機能を設けることによって、小規模なシステムで連携した空気調和制御を行う空気調和システム１を構築できる。
【００９３】
また、本実施の形態では、エネルギー管理ゲートウェイ１３及び汎用機器コントローラー１１のいずれも、空調設備２３及び汎用機器２１、つまり空気調和システム１全体の連携空調制御を行うことができる。このため、空気調和システム１全体の連携空調制御をエネルギー管理ゲートウェイ１３と汎用機器コントローラー１１で役割分担して実現できるため、空気調和システム１が設置されるビル等の被空調空間に適合させた空調制御を実現することができる。
【００９４】
また、汎用機器コントローラー１１と空調制御リモートコントローラー７１とが専用伝送線３３で接続されているため、空調制御リモートコントローラー７１を用いて汎用機器コントローラー１１に接続された汎用機器２１の操作入力を受付けることができ、利用者に対し、空調制御リモートコントローラー７１のみで空気調和システム１の各機器の操作を行わせることができる。
【００９５】
また、エネルギー管理ゲートウェイ１３、汎用機器コントローラー１１、及び空調制御リモートコントローラー７１は専用伝送線３３で接続されているため、エネルギー管理ゲートウェイ１３及び汎用機器コントローラー１１での空調設備２３及び汎用機器２１の制御内容（運転内容）を空調制御リモートコントローラー７１のタッチパネルを用いた確認が適宜可能であり、空気調和システム１の各機器の運転状態が空調制御リモートコントローラー７１で簡単に把握される。
【００９６】
実施の形態２．
本実施の形態２では、実施の形態１で説明した構成及び動作を前提として、空気調和システム１内において、ある装置（例えば、エネルギー管理ゲートウェイ１３）が別の装置（例えば、汎用機器コントローラー１１）に送信されたデータを取得する、いわゆる、盗み聞きの動作について説明する。
【００９７】
従来、ある装置が、他の装置が有するデータを取得しようとする場合、そのようなある装置は、他の装置に対してデータを含む信号（管理情報）の送信を要求する。一方、他の装置は、ある装置からの要求に応じて、データを含む信号（管理情報）を送信する。この場合、他の装置に対し、複数の装置から同じ要求がなされた場合、そのような他の装置は、各装置の要求に応じて同じデータを含む信号をそれぞれ送信することになっていた。このため、不用意に通信トラフィックを増加させてしまっていた。そこで、このような場合であっても、本実施の形態２に係る空気調和システム１は、以下に説明する、いわゆる、盗み聞きの動作によって、通信トラフィックを抑制させることができる。
【００９８】
図６は、本発明の実施の形態２に係る空気調和システム１内での通信例を示す図である。図６に示すように空調設備２３の室内機５３は、汎用機器コントローラー１１及びエネルギー管理ゲートウェイ１３と専用伝送線３３を介して接続されている。そして、各装置において、専用伝送線３３を介した信号（データ）の送受信は各通信部（専用通信部３５３，３０３等）が行い、信号（データ）取得に係る処理は、各制御手段（処理制御部３５５，管理制御部３５９，機器制御部３０４等）が行うものとして説明する。
【００９９】
ここで、汎用機器コントローラー１１及びエネルギー管理ゲートウェイ１３は、それぞれ別々に、室内機５３を含む空調設備２３、汎用機器２１を監視・制御する装置である。ここでは、装置間の通信方法を説明する一例として、空調設備２３の室内機５３のみ専用伝送線３３を介して接続されているが、実際には本実施形態１の図１で示した通り、空調設備２３の１又は複数の室外機５１、１又は複数の室内機５３、並びに、１又は複数の空調制御リモートコントローラー７１がそれぞれ接続される。ここで、汎用機器コントローラー１１及びエネルギー管理ゲートウェイ１３は、それぞれ、室内機５３が有する室内機５３の運転状態等の各種データ（管理情報を含む）、例えば吸い込み温度のデータを必要としているものとする。
【０１００】
汎用機器コントローラー１１は、室内機５３に対して、室内機５３の運転状態又はセンサの検出情報（信号）等の各種データの内、空気調和システム１の管理に必要な管理情報、例えば、吸い込み温度を含む信号の送信を要求する信号、すなわち、要求信号を専用伝送線３３を介して送信する（以下、要求信号に応じて、他の装置に送る各種データを含む信号を応答信号という）。要求信号を含む専用伝送線３３に流す信号については、送信に際し、例えば図７に示すように、空調設備２３専用のプロトコル等に基づいて予め設定した通信フレームに即した形式で信号を送る。
【０１０１】
図７は、本発明の実施の形態１に係る空気調和システム１内で通信される通信フレームの一例を示す図である。図７に示すように、通信フレームは、所定のプロトコルに準拠した形式で形成されたデータであり、例えば、送信元アドレス、送信先アドレス、通信コマンドの電文長等の実データを含むヘッダー部Ａと、通信コマンド部Ｂと、伝送エラーを検出するコード等を含むフレームチェック部Ｃとで構成される。
【０１０２】
通信コマンド部Ｂは、制御監視の動作内容又は対象の分類を示す通信コマンド分類部Ｂ１、制御監視の運転及び動作内容を表す動作内容部Ｂ２、及び制御監視の動作対象を表す動作の対象部Ｂ３等で構成される。なお、上記で説明した通信フレームは一例を示し、特にこれに限定されない。
【０１０３】
汎用機器コントローラー１１は、室内機５３から空気調和システム１の管理に必要な管理情報、例えば、吸い込み温度のデータを含む信号（通信フレーム）を受信して吸い込み温度データを取得する。
【０１０４】
前述したように、エネルギー管理ゲートウェイ１３も、汎用機器コントローラー１１と同じく、室内機５３が有する室内機５３の運転状態等の各種データのうち、空気調和システム１の管理に必要な管理情報、例えば吸い込み温度のデータを必要とする。信号の送信先がいずれの装置であっても、専用伝送線３３に送られた信号は、エネルギー管理ゲートウェイ１３にも送られる。そこで、専用伝送線３３を介して受信した信号に基づき、エネルギー管理ゲートウェイ１３は、送信元アドレス及び通信コマンドを判断する。そして、エネルギー管理ゲートウェイ１３は、送信元アドレスが室内機５３を表すものであって、通信コマンドが吸い込み温度データの要求信号に対するものと判断すると、信号を受信して処理を行い、吸い込み温度データを取得する。
【０１０５】
ここで、本実施の形態２では、汎用機器コントローラー１１が要求信号を送信し、エネルギー管理ゲートウェイ１３が送信元アドレス（管理アドレス）と通信コマンド（コマンド中の管理情報）とに基づいて、室内機５３の吸い込み温度のデータを取得するものとしたが、これに限定されるものではない。例えば、エネルギー管理ゲートウェイ１３が送信した要求信号に対する信号に基づいて、汎用機器コントローラー１１が室内機５３の吸い込み温度のデータを取得するようにしてもよい。
【０１０６】
また、本実施の形態２では、室内機５３の運転状態等の各種データのうち、吸い込み温度のデータを取得しているが、室内機５３のデータに限らず、汎用機器コントローラー１１又はエネルギー管理ゲートウェイ１３が必要な管理情報（データ）を一括又は個別に取得するようにしてもよい。このとき、汎用機器コントローラー１１又はエネルギー管理ゲートウェイ１３は、信号中の送信元アドレスと通信コマンドに基づいて、空気調和システム１の管理に有用な管理情報（データ）かどうかの判断をする。
【０１０７】
以上のように、本実施の形態２によれば、室内機５３から汎用機器コントローラー１１への信号等、専用伝送線３３に流れる信号を、エネルギー管理ゲートウェイ１３が受信し、信号中の送信元アドレスと通信コマンドに基づいて、信号中の吸い込み温度データを取得するようにしたので、エネルギー管理ゲートウェイ１３が要求信号を送信しなくても、吸い込み温度データを取得することができる。また、要求信号毎に室内機５３から信号を送る必要がないので、空気調和システム１全体の通信トラフィックを低減することができる。
【０１０８】
また、上記では、予め登録されている管理情報の内、吸い込み温度のデータを用いて説明したが、予め登録されている管理情報について、信号中の送信元アドレス（管理アドレス）と通信コマンドに基づいて、同様の処理を行うことにより、必要な管理情報（データ）を効率よく取得できるとともに、空気調和システム１全体の通信トラフィックを低減することができる。
【０１０９】
また、エネルギー管理ゲートウェイ１３の要求信号の通信周期に関わらず、専用伝送線に流れる管理情報（信号）をタイムリーに取得することができるため、エネルギー管理ゲートウェイ１３及び汎用機器コントローラー１１にて管理情報の取得を迅速に行うことが可能となる。
【０１１０】
実施の形態３．
本実施の形態３では、実施の形態１で説明した構成及び動作を前提として、空気調和システム１内において、ある機器（例えば、汎用機器コントローラー１１及びエネルギー管理ゲートウェイ１３）が別の機器（例えば、室外機５１）に送信されたデータを取得する、いわゆる、盗み聞きの動作の他の実施例について説明する。
【０１１１】
図８は、本発明の実施の形態３に係る空気調和システム１内での通信例を示す図である。図８に示すように空調設備２３の室内機５３は、室外機５１、汎用機器コントローラー１１、エネルギー管理ゲートウェイ１３と専用伝送線３３を介して接続されている。
【０１１２】
各機器において、専用伝送線３３を介した信号（データ）の送受信は、各通信部（専用通信部３５３、専用通信部３０３、室外機通信手段１３３，及び室内機通信手段２３３等）が行うものとして説明する。また、各機器において、信号（データ）取得に係る処理は、各制御手段（処理制御部３５５、管理制御部３５９、及び機器制御部３０４等）が行うものとして説明する。また、汎用機器コントローラー１１及びエネルギー管理ゲートウェイ１３は、それぞれ別々に、室内機５３を含む空調設備２３、汎用機器２１を監視・制御する機器であるとして説明する。
【０１１３】
ここでは、機器間の通信方法を説明する一例として、空調設備２３の室内機５３及び室外機５１のみ専用伝送線３３を介して接続されているが、実際には実施形態１の図１で示した通り、空調設備２３の１又は複数の室外機５１、１又は複数の室内機５３、並びに、１又は複数の空調制御リモートコントローラー７１が接続される。そして、汎用機器コントローラー１１及びエネルギー管理ゲートウェイ１３は、管理情報に関して室外機５１と同じデータを保有するようにしている。
【０１１４】
室外機５１は、室内機５３に対して、室内機５３の運転状態又はセンサの検出等の各種データのうち、例えば、吸い込み温度を含む信号の送信を要求する信号、すなわち、要求信号を専用伝送線３３を介して送信する。要求信号を受信した室内機５３は、自身が保有するデータを含む信号を専用伝送線３３を介して室外機５１に返信する。送信及び返信に際しては、実施形態２で説明した通り、専用プロトコル等に基づいて予め設定した通信フレームに即した形式の信号が送られる。室外機５１は、室内機５３から吸い込み温度のデータ（運転状態等の管理情報）を含む信号を受信して吸い込み温度データを取得する。
【０１１５】
前述したように、汎用機器コントローラー１１及びエネルギー管理ゲートウェイ１３が、室外機５１と同じく、空気調和システム１の管理に必要な管理情報、例えば、吸い込み温度のデータを保有するようにしている。そこで、専用伝送線３３を介して受信した信号に基づき、汎用機器コントローラー１１及びエネルギー管理ゲートウェイ１３は、送信先アドレス及び通信コマンドを判断する。そして、汎用機器コントローラー１１及びエネルギー管理ゲートウェイ１３は、送信先アドレスが室外機５１を表すものであって、通信コマンドが吸い込み温度データの要求信号に対する応答信号と判断すると、信号を受信して処理を行い、吸い込み温度データを取得する。
【０１１６】
以上のように、本実施の形態では、専用伝送線３３に流れる信号を、汎用機器コントローラー１１及びエネルギー管理ゲートウェイ１３が受信し、信号中の送信先アドレスと通信コマンドに基づいて、信号中の各種データを取得するようにした。よって、例えば、送信先が室外機５１であれば、同じデータを取得することができる。このため、専用伝送線３３に、室外機５１及び室内機５３の他に、汎用機器コントローラー１１、エネルギー管理ゲートウェイ１３といったコントローラー機能を有する機器を複数台接続しても、空気調和システム１全体の通信トラフィックを抑制することができる。
【０１１７】
また、上記では、予め登録されている管理情報のうち、吸い込み温度のデータを用いて説明したが、予め登録されている管理情報の全てについて、信号中の送信先アドレス（管理アドレス）と通信コマンドに基づいて、同様の処理を行うことにより、必要な管理情報（データ）を効率よく取得できるとともに、空気調和システム１全体の通信トラフィックを低減することができる。
【０１１８】
また、汎用機器コントローラー１１及びエネルギー管理ゲートウェイ１３の要求信号の通信周期に関わらず、専用伝送線に流れる管理情報（信号）をタイムリーに取得することができる。よって、汎用機器コントローラー１１及びエネルギー管理ゲートウェイ１３にて管理情報の取得を迅速に行うことが可能となる。
【０１１９】
実施の形態４．
本実施の形態４では、実施の形態１で説明した構成及び動作を前提として、空気調和システム１内において、ある機器（例えば、汎用機器コントローラー１１及びエネルギー管理ゲートウェイ１３）が別の機器（例えば、室外機５１）に送信されたデータを取得する、いわゆる、盗み聞きの動作の他の実施例について説明する。
【０１２０】
図９は、本発明の実施の形態４に係る空気調和システム１内での通信例を示す図である。図９に示すように空調設備２３の室内機５３は、室外機５１と、汎用機器コントローラー１１と、エネルギー管理ゲートウェイ１３と、専用伝送線３３を介して、接続されている。
【０１２１】
各機器において、専用伝送線３３を介した信号（データ）の送受信は、各通信部（専用通信部３５３、専用通信部３０３、室外機通信手段１３３、及び室内機通信手段２３３等）が行うものとして説明する。また、各機器において、信号（データ）取得に係る処理は、各制御手段（処理制御部３５５、管理制御部３５９、機器制御部３０４等）が行うものとして説明する。また、汎用機器コントローラー１１及びエネルギー管理ゲートウェイ１３は、それぞれ別々に、室内機５３を含む空調設備２３、汎用機器２１を監視及び制御する機器であるとして説明する。
【０１２２】
ここでは、機器間の通信方法を説明する一例として、空調設備２３の室内機５３及び室外機５１のみ専用伝送線３３を介して接続されているが、実際には実施形態１の図１で示した通り、空調設備２３の１又は複数の室外機５１、１又は複数の室内機５３、１又は複数の空調制御リモートコントローラー７１が接続される。
【０１２３】
ここで、室外機５１、汎用機器コントローラー１１、エネルギー管理ゲートウェイ１３は、タイマ等の計時装置を有しているものとする。本実施の形態は、室内機５３に要求信号を送っていた室外機５１が故障等したときの汎用機器コントローラー１１及びエネルギー管理ゲートウェイ１３の処理等に関するものである。
【０１２４】
例えば、室外機５１は、室内機５３の運転状態又はセンサの検出情報（信号）等の各種データの表示、例えば、吸い込み温度の表示、各種データの保持等のために６０秒程度で定期的にデータの取得が必要な機器である。一方、エネルギー管理ゲートウェイ１３及び汎用機器コントローラー１１は、室外機５１よりも頻繁に表示を更新する必要性がないため、定期的な吸い込み温度データの取得は１００秒程度でもよい。
【０１２５】
そこで、エネルギー管理ゲートウェイ１３及び汎用機器コントローラー１１は、室外機５１が要求信号を送信する周期よりも長い周期で要求信号を送信する。そして、吸い込み温度データを取得すると、計時装置をリセット処理する。ここで、汎用機器コントローラー１１の要求信号の通信周期を例えば１０１秒とし、エネルギー管理ゲートウェイ１３の要求信号の通信周期を例えば１０２秒として、異なる周期（時間）で設定する。このように、要求信号の通信周期を異ならせることで、汎用機器コントローラー１１とエネルギー管理ゲートウェイ１３とが室内機５３に対して同時に要求信号を送信しないようにする。ここで、通信周期は例示であり、秒数等を限定されるものではない。
【０１２６】
室外機５１は、室内機５３に対し、６０秒毎に要求信号を送信し、室内機５３が専用伝送線を介して吸い込み温度データを含む信号を送信する。汎用機器コントローラー１１とエネルギー管理ゲートウェイ１３とは、信号を受信して吸い込み温度データを取得し、計時装置をリセットする。このため、基本的には、汎用機器コントローラー１１とエネルギー管理ゲートウェイ１３とが空調設備２３に対して要求信号を送信する必要がない。
【０１２７】
しかし、図９に示すように、室外機５１の故障、データ送信の際、及び外来ノイズの影響等のように、何らかの原因で、汎用機器コントローラー１１又はエネルギー管理ゲートウェイ１３が吸い込み温度データを取得できない場合がある。ここでは汎用機器コントローラー１１が取得できないものとする。このとき、汎用機器コントローラー１１は室内機５３に対して要求信号を送信する。
【０１２８】
汎用機器コントローラー１１からの要求信号を受信した室内機５３は、吸い込み温度データを含む信号を専用伝送線３３を介して汎用機器コントローラー１１に送信する。汎用機器コントローラー１１は、室内機５３から吸い込み温度データを含む信号を受信して吸い込み温度データを取得する。一方、エネルギー管理ゲートウェイ１３は、受信した信号の送信元アドレス及び通信コマンドに基づいて、吸い込み温度データを取得する。そして、室外機が、再び６０秒毎に要求信号を送信するようになると、汎用機器コントローラー１１及びエネルギー管理ゲートウェイ１３は要求信号送信に係る周期が長いため、要求信号を送信しなくても吸い込み温度データを取得することができる。
【０１２９】
なお、室外機５１、汎用機器コントローラー１１、及びエネルギー管理ゲートウェイ１３のそれぞれの通信周期を、要求信号の通信周期をそれぞれ、６０秒、１０１秒、１０２秒としたが、各機器の通信周期を適宜入れ替える様にしてもよい。また、ここでは、送信元アドレスと通信コマンドとに基づく判断処理を行ったが、実施の形態３と同様に、送信先アドレスと通信コマンドとに基づいて行うようにしてもよい。
【０１３０】
以上のように、本実施の形態４に係る空気調和システム１によれば、汎用機器コントローラー１１及びエネルギー管理ゲートウェイ１３に吸い込み温度データを取得するとリセットされる要求信号の通信周期を設定しておき、通信周期になると要求信号を送信するようにした。よって、本実施の形態４に係る空気調和システム１は、例えば、室外機５１宛の信号に基づいて吸い込み温度データが取得できなくても、要求信号を送信して吸い込み温度データを取得することができる。本実施の形態４において、要求信号を送信しなかった他の機器は、専用伝送線３３を流れる信号に基づいて吸い込み温度データを取得することができ、空気調和システム１全体のトラフィックの抑制が可能となる。このとき、本実施の形態４において、要求信号を送信しなかった他の機器間で異なる通信周期を設定しておけば、同時に要求信号を送信する可能性が極めて低くなり、信号の衝突等を防ぐことができる。
【０１３１】
実施の形態５．
本実施の形態５では、実施の形態１で説明した汎用機器コントローラー１１において、専用伝送線３３を介して接続される空調設備２３及び汎用機器２１の各機器の管理アドレスと、管理情報の設定（入手）と、更新処理に関して説明する。
【０１３２】
図１０は、本発明の実施の形態５に係る汎用機器コントローラー１１の制御例を説明するフローチャートであり、空調設備管理部３０５（空調設備制御部３１３）の空調設備２３の新規に管理又は制御対象となる機器の管理アドレス及び管理情報の入手に係る処理手順の一例が示されている。汎用機器コントローラー１１が専用伝送線３３を流れる信号を受信した際に、受信した信号（データ）から抽出した送信元アドレスが新規のアドレスである場合の処理について、図１０を用いて説明する。
【０１３３】
汎用機器コントローラー１１の専用通信部３０３が専用伝送線３３を流れる信号を受信すると、ステップＳ１１において、空調設備管理部３０５は、新規送信元アドレスであるか否かを判定する。この新規送信元アドレスとは、汎用機器コントローラー１１にて最初に受信した送信元アドレスをいう。空調設備管理部３０５は、新規送信元アドレスである場合、ステップＳ１２に進む。一方、空調設備管理部３０５は、新規送信元アドレスでない場合、ステップＳ１１に戻る。
【０１３４】
ステップＳ１２において、空調設備管理部３０５は、新規送信元アドレスは管理対象アドレスであるか否かを判定する。管理対象アドレスとは、空調設備管理部３０５に登録されている汎用機器コントローラー１１で管理する空調設備２３の各機器の管理アドレスであり、実施の形態１で説明した通り、空調設備設定部３１１にて管理対象のアドレスが予め設定されている。空調設備管理部３０５は、新規送信元アドレスは管理対象アドレスである場合、ステップＳ１３に進む。一方、空調設備管理部３０５は、新規送信元アドレスは管理対象アドレスでない場合、ステップＳ１１に戻る。
【０１３５】
ステップＳ１３において、空調設備管理部３０５は、空調設備管理部３０５に予め登録されている管理情報の返信を、専用通信部３０３を介して新規送信元アドレスに対して要求する。空調設備管理部３０５は、空調設備２３の各機器の管理アドレス毎に管理情報が登録されている場合には、当該管理アドレスに特定された機器に必要な管理情報を一括して要求することができる。
【０１３６】
ステップＳ１４において、空調設備管理部３０５は、新規送信元アドレスから管理情報の返信があるか否かを判定する。空調設備管理部３０５は、管理情報の返信がある場合、ステップＳ１５に進む。一方、空調設備管理部３０５は、管理情報の返信がない場合、ステップＳ１４に戻る。ステップＳ１５において、空調設備制御部３１３は、管理アドレス（新規送信元アドレス）と管理情報とを関連付けて記憶し、ステップＳ１１に戻る。
【０１３７】
以上により、汎用機器コントローラー１１は、新規に設置された空調設備２３の各機器の管理情報を管理アドレスに関連付けて記憶することができる。また、空調設備２３の各機器を更新又は追加する場合においても、該機器の管理アドレスである新規送信元アドレスからの通信に基づき、汎用機器コントローラー１１側で管理アドレスに対応付けた管理情報の入手が可能となり、空調設備２３の各機器の更新又は追加を反映させた管理対象とする各機器の管理及び制御を汎用機器コントローラー１１にて実現することができる。
【０１３８】
また、上記では、空調設備管理部３０５が空調設備２３の新規に管理又は制御対象となる機器の管理アドレス及び管理情報の入手について説明したが、汎用機器入出力部３２５に入力される信号に基づいて、汎用機器管理部３０７が汎用機器２１の新規に管理又は制御対象となる機器の管理アドレス及び管理情報の入手についても同様に行うようにしてもよい。
【０１３９】
次に、汎用機器コントローラー１１で管理又は制御対象となる空調設備２３の各機器の管理アドレス及び管理情報につき、空調設備管理部３０５で専用通信部３０３を介して管理情報を収集後、空調設備管理部３０５によって汎用機器管理部３０７の空調設備２３の各機器の管理情報を更新する処理について説明する。図１１は、本実施の形態５に係る汎用機器コントローラー１１の制御例を説明するフローチャートであり、管理情報の変更に対する空調設備管理部３０５の処理手順の一例が示されている。
【０１４０】
ここでは、空気調和システム１内に流れる信号、例えば、管理情報に基づいた空気調和システム１内の空調設備２３の制御が優先される。よって、汎用機器管理部３０７の空調設備２３の管理情報の更新に係る処理については、空調設備管理部３０５における管理情報の収集処理及び専用通信部３０３の送信処理よりも処理の優先度を下げる。このようにすることで、収集処理及び送信処理を行っていない場合に、汎用機器管理部３０７の管理情報の更新に係る処理が実行されるため、空気調和システム１内の空調設備２３の制御に影響を与えずに、汎用機器管理部３０７の管理情報の更新を行うことができる。
【０１４１】
また、汎用機器管理部３０７の空調設備２３の各機器の管理アドレス及び管理情報を更新することによって、汎用機器コントローラー１１の機器制御部３０４は、管理情報に基づき、空調設備２３及び汎用機器２１の連携制御を実現することができる。
【０１４２】
ステップＳ３１において、汎用機器コントローラー１１の空調設備管理部３０５は、汎用機器管理部３０７に記憶されている管理情報を取得（入手）したか否かを判定する。空調設備管理部３０５は、汎用機器管理部３０７から管理情報を取得した場合、ステップＳ３２に進む。一方、空調設備管理部３０５は、汎用機器管理部３０７から管理情報を取得しない場合、ステップＳ３１に戻る。
【０１４３】
ステップＳ３２において、空調設備管理部３０５は、空調設備管理部３０５で記憶されている管理情報と汎用機器管理部３０７から取得した管理情報との相違部分を抽出する。ここで、空調設備管理部３０５は、管理又は制御対象となる機器の管理アドレス及び管理情報を関連付けて記憶しており、抽出した相違する管理情報に関連する管理アドレスも抽出する。
【０１４４】
ステップＳ３３において、空調設備管理部３０５は、専用通信部３０３を介して、抽出した各管理アドレスにより特定される空調設備２３の各機器を送信先として、抽出した管理アドレス毎に相違する管理情報を専用伝送線３３上に送信する。
【０１４５】
ステップＳ３４において、空調設備管理部３０５は、抽出した全ての管理アドレスに対して相違する管理情報を専用伝送線３３上に送信したか否かを判定する。空調設備管理部３０５は、全ての管理アドレスに対して相違する管理情報を専用伝送線３３上に送信した場合、ステップＳ３５に進む。一方、空調設備管理部３０５は、全ての管理アドレスに対して相違する管理情報を専用伝送線３３上に送信しない場合、ステップＳ３３に戻る。
【０１４６】
ステップＳ３５において、空調設備管理部３０５は、第１所定周期をリセットする。ステップＳ３６において、空調設備管理部３０５は、第１所定周期のカウントを開始する。ステップＳ３７において、空調設備管理部３０５は、第２所定周期をリセットする。ステップＳ３８において、空調設備管理部３０５は、第２所定周期のカウントを開始し、ステップＳ３１に戻る。
【０１４７】
ここで、第１所定周期とは、空調設備２３の各機器間で専用プロトコル通信を行う周期であり、汎用機器コントローラー１１の空調設備管理部３０５は、この第１所定周期毎に空調設備２３の各機器に対して管理情報を収集する。また、第２所定周期とは、空調設備管理部３０５が汎用機器管理部３０７の管理情報を纏めて更新する周期であり、上記説明の通り、空調設備管理部３０５で記憶されている管理情報と汎用機器管理部３０７から取得した管理情報との相違部分について一括して更新される。
【０１４８】
また、第２所定周期は、第１所定周期よりも長い周期、すなわち、第１所定周期＜第２所定周期の関係が成立するように設定される。
【０１４９】
この第１所定周期及び第２所定周期の二つの周期について、第１所定周期＜第２所定周期の関係が成立するように設定したことによって、汎用機器コントローラー１１の空調設備管理部３０５に空調設備２３各機器からの管理情報が確実に収集（取得）された後に、
空調設備管理部３０５から汎用機器管理部３０７に管理情報（データ）が転送され、汎用機器管理部３０７の管理情報の更新を行うことができる。
【０１５０】
また、空調設備管理部３０５における管理情報の収集処理及び専用通信部３０３の送信処理収集処理を行っていない周期（タイミング）で、汎用機器管理部３０７の管理情報の更新に係る処理が実行されるため、空気調和システム１内の空調設備２３の各機器の制御に影響を与えずに、汎用機器管理部３０７の管理情報の更新を行うことができる。
【０１５１】
次に、空調設備２３の各機器間で専用プロトコル通信を行う第１所定周期毎に、汎用機器コントローラー１１の空調設備管理部３０５が、管理又は制御対象となる空調設備２３の各機器に対して管理情報を収集する処理手順について説明する。図１２は、本実施の形態５に係る汎用機器コントローラー１１の制御例を説明するフローチャートであり、第１所定周期毎に行う管理情報の収集手順の一例が示されている。
【０１５２】
ステップＳ５１において、汎用機器コントローラー１１の空調設備管理部３０５は、第１所定周期が経過したか否かを判定する。空調設備管理部３０５は、第１所定周期が経過した場合、ステップＳ５２に進む。一方、空調設備管理部３０５は、第１所定周期が経過しない場合、ステップＳ５１に戻る。
【０１５３】
ステップＳ５２において、空調設備管理部３０５は、管理又は制御対象となる空調設備２３の各機器を特定する管理アドレスを送信先として、管理アドレス毎に管理情報の返信を要求する。なお、上記の説明では、管理アドレス毎に管理情報の返信を要求する一例について説明したが、必要な管理情報を一括して返信要求してもよい。
【０１５４】
ステップＳ５３において、空調設備管理部３０５は、管理情報の返信があるか否かを判定する。空調設備管理部３０５は、管理情報の返信がある場合、ステップＳ５４に進む。一方、空調設備管理部３０５は、管理情報の返信がない場合、ステップＳ５３に戻る。このとき、空調設備管理部３０５は、専用通信部３０３を介して、専用伝送線３３を流れる信号からデータを抽出する。ここで、専用伝送線を流れる信号は、例えば、実施の形態２で説明した様に、予め設定した通信フレームに即した形式となっており、通信フレーム内のデータには、送信元アドレス、送信先アドレス、及び通信コマンド（実データ）が含まれる。
【０１５５】
ステップＳ５４において、空調設備管理部３０５は、空調設備２３の各機器の管理アドレスから返信された管理情報に基づき、管理アドレスと管理情報とを関連付けて記憶する。管理アドレスは、例えば、返信に係る信号に含まれる送信元アドレスである。
【０１５６】
ステップＳ５５において、空調設備管理部３０５は、管理又は制御対象となる空調設備２３の全ての管理アドレスについて管理情報の返信の要求が終了したか否かを判定する。空調設備管理部３０５は、全ての管理アドレスについて管理情報の返信の要求が終了した場合、ステップＳ５６に進む。一方、空調設備管理部３０５は、全ての管理アドレスについて管理情報の返信の要求が終了しない場合、ステップＳ５２へ戻る。
【０１５７】
ステップＳ５６において、空調設備管理部３０５は、第１所定周期をリセットする。ステップＳ５７において、空調設備管理部３０５は、第２所定周期のカウントアップ条件を設定する。ここで、第２所定周期とは、空調設備管理部３０５から汎用機器管理部３０７に管理情報（データ）が転送され、汎用機器管理部３０７の管理情報の更新を行う周期である。第２所定周期は、先に説明した通り、第１所定周期よりも長い周期、すなわち、第１所定周期＜第２所定周期の関係が成立するように設定される。ステップＳ５８において、空調設備制御部３１３は、第１所定周期のカウントを開始し、ステップＳ５１に戻る。
【０１５８】
次に、図１２のフローチャートで説明した第１周期に関わらずに、実施の形態２〜４で説明したいわゆる盗み聞きの動作により、空調設備管理部３０５が、空調設備２３の各機器の管理情報を収集する処理手順について図１３を用いて説明する。
【０１５９】
図１３は、本実施形態に係る汎用機器コントローラー１１の制御例を説明するフローチャートであり、第１所定周期に関係なく収集する手順の一例が示されている。なお、図１３で説明する処理は、基本的に専用伝送線３３上を流れる各種信号は専用伝送線３３に接続された全ての機器にて受信できることが前提となっている。
【０１６０】
ステップＳ７１において、汎用機器コントローラー１１の空調設備管理部３０５は、専用伝送線３３から信号を受信したか否かを判定する。空調設備管理部３０５は、専用伝送線３３から信号を受信した場合、ステップＳ７２に進む。一方、空調設備管理部３０５は、専用伝送線３３から信号を受信しない場合、ステップＳ７１に戻る。
【０１６１】
ステップＳ７２において、空調設備管理部３０５は、受信した信号の送信元アドレスが管理アドレスであるか否かを判定する。空調設備管理部３０５は、受信した信号の送信元アドレスが管理アドレスである場合、ステップＳ７３に進む。一方、空調設備管理部３０５は、受信した信号の送信元アドレスは管理アドレスでない場合、ステップＳ７１に戻る。
【０１６２】
ステップＳ７３において、空調設備管理部３０５は、通信コマンドから受信した信号が必要な管理情報であるか否かを判定する。空調設備管理部３０５は、受信した信号が必要な管理情報である場合、ステップＳ７４に進む。一方、空調設備管理部３０５は、受信した信号は必要な管理情報でない場合、ステップＳ７１に戻る。
【０１６３】
ステップＳ７４において、空調設備管理部３０５は、空調設備２３の各機器の管理アドレスから返信された管理情報に基づき、管理アドレスと管理情報とを関連付けて記憶する。ステップＳ７５において、空調設備制御部３１３は、第２所定周期のカウントアップ条件を設定し、ステップＳ７１に戻る。ここで、第２所定周期とは、先に説明した通り、第１所定周期よりも長い周期、すなわち、第１所定周期＜第２所定周期の関係が成立するように設定される。
【０１６４】
以上のように、本実施の形態５によれば、例えば、室内機５３から室外機５１への信号等、専用伝送線３３に流れる信号を、汎用機器コントローラー１１が受信し、信号中の送信元アドレス（管理アドレス）と通信コマンド（コマンド中の管理情報）に基づいて、信号中の管理情報を取得するようにしたので、汎用機器コントローラー１１が要求信号を送信しなくても、管理情報を取得することができる。また、汎用機器コントローラー１１の要求信号毎に空調設備２３の各機器から信号を送る必要がないので、空気調和システム１全体の通信トラフィックを低減することができる。
【０１６５】
また、汎用機器コントローラー１１の要求信号の通信周期（第１所定周期）に関わらず、専用伝送線３３に流れる管理情報（信号）をタイムリーに取得することができるため、汎用機器コントローラー１１にて管理情報の取得を迅速に行うことが可能となる。
【０１６６】
最後に、空調設備管理部３０５から汎用機器管理部３０７に管理情報（データ）が転送され、汎用機器管理部３０７の管理情報の更新を行う処理手順について説明する。図１４は、本実施形態に係る汎用機器コントローラー１１の制御例を説明するフローチャートであり、空調設備管理部３０５による汎用機器管理部３０７の管理情報の更新が第２所定周期毎に実行される一例について示されている。
【０１６７】
ステップＳ９１において、汎用機器コントローラー１１の空調設備管理部３０５は、第２所定周期が経過したか否かを判定する。空調設備管理部３０５は、第２所定周期が経過した場合、ステップＳ９２に進む。一方、空調設備管理部３０５は、第２所定周期が経過しない場合、ステップＳ９１に戻る。
【０１６８】
ステップＳ９２において、空調設備管理部３０５は、空調設備管理部３０５の管理情報（データ）を汎用機器管理部３０７に転送し、汎用機器管理部３０７の管理情報を更新する。
【０１６９】
ステップＳ９３において、空調設備制御部３１３は、第２所定周期をリセットする。ステップＳ９４において、空調設備制御部３１３は、第２所定周期のカウントを開始する。よって、汎用機器コントローラー１１内において、空調設備管理部３０５から汎用機器管理部３０７への管理情報の引き渡しが第２所定周期毎に実行される。
【０１７０】
なお、図１０〜図１４の各動作は逐次実行であっても並列実行であってもよいが、通常においては、各処理が並列に実行されている。
【０１７１】
実施形態６．
実施の形態６では、エネルギー管理ゲートウェイ１３において、専用伝送線３３を介して接続される空調設備２３及び汎用機器２１の各機器の管理アドレス、又は管理情報の取得（入手）、更新に関して説明する。
【０１７２】
図１５は、本実施の形態に係るエネルギー管理ゲートウェイ１３の制御例を説明するフローチャートであり、エネルギー管理ゲートウェイ１３の処理制御部３５５が管理対象を設定する処理の一例が示されている。実施の形態１〜５で説明した通り、エネルギー管理ゲートウェイ１３の記憶部３５７には、専用通信部３５３で受信した空調設備２３及び汎用機器２１の運転及び動作情報（データ）又は空調設備２３及び汎用機器２１の各種センサー及びアクチュエータの検出情報（データ）の内、エネルギー管理ゲートウェイ１３の管理又は制御対象とする各機器の管理情報が登録されている。ここでは、処理制御部３５５が登録されている管理情報を制限することによって、管理情報を階層化する処理手順について説明する。
【０１７３】
ステップＳ１１１において、処理制御部３５５は、受信して取得（入手）した管理アドレス及び管理情報に管理外のものがあるか否かを判定する。処理制御部３５５は、受信して取得した管理アドレス及び管理情報に管理外のものがある場合、ステップＳ１１２へ進む。一方、処理制御部３５５は、受信して取得した管理アドレス及び管理情報に管理外のものがない場合、ステップＳ１１１に戻る。
【０１７４】
ステップＳ１１２において、処理制御部３５５は、管理外の管理アドレス及び管理情報を管理対象とするか否かを判定する。処理制御部３５５は、管理外の管理アドレス及び管理情報を管理対象とする場合、ステップＳ１１１に戻る。一方、処理制御部３５５は、管理外の管理アドレス及び管理情報を管理対象としない場合、ステップＳ１１３へ進む。
【０１７５】
ステップＳ１１３において、処理制御部３５５は、当該アドレスを管理対象外とする旨の管理制御部３５９への設定を行い、ステップＳ１１１に戻る。例えば、管理フラグが０に設定された状態で、送信先の通信プロトコルに準拠した所定の形式の通信フレームを管理制御部３５９へ送信する。なお、ここでは、管理フラグが０を管理対象外、管理フラグが１を管理対象として処理する一例について説明したが、特に実装形態は限定されない。
【０１７６】
よって、上記で説明したように、処理制御部３５５、すなわち、アプリケーションが受信した管理情報を管理対象とするか否かを決定する。この動作で管理情報を制限することができるため、利用予定の管理情報の対応レベルを階層化することができる。例えば、全ての管理情報を管理対象として、第１アプリケーションを作成し、管理情報の一部を管理対象として、第２アプリケーションを作成したとする。この場合、第１アプリケーションは、管理外の管理情報を全て管理対象として設定すればよく、第２アプリケーションは、該当する管理情報のみ管理対象として設定すればよい。また、直接的には管理制御部３５９に対して管理対象外とする設定をしているため、管理制御部３５９が処理制御部３５５へ流れるデータについて制限することができる。また、管理制御部３５９が処理制御部３５５へ流れるデータについて制限をかけるため、処理制御部３５５が汎用通信部３５１
を介して汎用伝送線３５へ流すデータについても制限することができる。
【０１７７】
図１６は、本実施の形態に係るエネルギー管理ゲートウェイ１３の制御例を説明するフローチャートであり、エネルギー管理ゲートウェイ１３の処理制御部３５５が、専用通信部３５３を介して空調設備２３及び汎用機器２１の管理情報を受信する処理の一例が示されている。また、エネルギー管理ゲートウェイ１３は、汎用機器２１の管理情報は、汎用機器コントローラー１１を介して受信する。
【０１７８】
ステップＳ１２１において、処理制御部３５５は、予め定めた周期で管理情報を受信したか否かを判定する。処理制御部３５５は、予め定めた周期で管理情報を受信した場合、ステップＳ１２２へ進む。一方、処理制御部３５５は、予め定めた周期で管理情報を受信しない場合、ステップＳ１２１に戻る。
【０１７９】
ステップＳ１２２において、処理制御部３５５は、管理情報記憶領域３７１に最新値の管理情報を記憶する。
【０１８０】
ステップＳ１２３において、処理制御部３５５は、変更履歴記憶領域３７３に過去の管理情報を記憶し、ステップＳ１２１に戻る。
【０１８１】
よって、上記で説明したように、処理制御部３５５は、最新値の管理情報と、過去の管理情報とを別々に格納記憶したので、最新値の管理情報と、過去の管理情報とを区別して抽出することができる。したがって、処理制御部３５５は、通常の制御を行うときには最新値の管理情報で空調設備２３等を制御することができる。また、記憶部３５７は、過去管理情報を受信した管理情報の履歴として蓄積していくことができる。
【０１８２】
上記では、予め定められた周期で管理情報を受信した場合の最新値の管理情報と過去の管理情報の記憶について説明したが、次に、エネルギー管理ゲートウェイ１３の管理情報の最新値確認周期毎に空調設備２３及び汎用機器２１の管理情報を要求する場合の最新値の管理情報と過去の管理情報の記憶について説明する。
【０１８３】
図１７は、本実施の形態に係るエネルギー管理ゲートウェイ１３の制御例を説明するフローチャートであり、エネルギー管理ゲートウェイ１３の処理制御部３５５が、専用通信部３５３を介して空調設備２３及び汎用機器２１の管理情報の要求処理を実行する一例が示されている。
【０１８４】
ステップＳ１３１において、処理制御部３５５は、最新値確認周期が経過したか否かを判定する。処理制御部３５５は、最新値確認周期が経過した場合、ステップＳ１３２に進む。一方、処理制御部３５５は、最新値確認周期が経過しない場合、ステップＳ１３１に戻る。
【０１８５】
ステップＳ１３２において、処理制御部３５５は、管理制御部３５９に最新値の管理情報を要求する。
【０１８６】
ステップＳ１３３において、処理制御部３５５は、最新値の管理情報の返信があるか否かを判定する。処理制御部３５５は、最新値の管理情報の返信がある場合、ステップＳ１３４に進む。一方、処理制御部３５５は、最新値の管理情報の返信がない場合、ステップＳ１３３に戻る。
【０１８７】
ステップＳ１３４において、処理制御部３５５は、管理情報記憶領域３７１に最新値の管理情報を記憶する。ステップＳ１３５において、処理制御部３５５は、変更履歴記憶領域３７３に過去の管理情報を記憶する。ステップＳ１３６において、処理制御部３５５は、最新値確認周期をリセットする。ステップＳ１３７において、処理制御部３５５は、最新値確認周期のカウントを開始し、ステップＳ１３１に戻る。
【０１８８】
よって、上記で説明したように、処理制御部３５５は、最新値確認周期毎に最新値を管理制御部３５９に要求して取得するので、最新値の管理情報に基づいて各種処理を行うことができる。また、処理制御部３５５は、最新値の管理情報と、過去の管理情報とを別々に格納記憶したので、最新値の管理情報と、過去の管理情報とを区別して抽出することができる。
【０１８９】
次に、処理制御部（アプリケーション）３５５のメモリに、処理制御部３５５側から管理情報の変更を行った履歴を記憶する処理手順について説明する。図１８は、本実施の形態に係るエネルギー管理ゲートウェイ１３の制御例を説明するフローチャートであり、エネルギー管理ゲートウェイ１３の処理制御部３５５が管理情報の変更要求を実行する一例が示されている。
【０１９０】
ステップＳ１５１において、処理制御部３５５は、処理制御部３５５内のメモリ（図示せず）に追加された管理情報があるか否か判定する。処理制御部３５５は、メモリに追加された管理情報がある場合、ステップＳ１５２に進む。一方、処理制御部３５５は、メモリに追加された管理情報がない場合、ステップＳ１５１に戻る。
【０１９１】
ステップＳ１５２において、処理制御部３５５は、メモリに記憶された変更部分の管理アドレス及び管理情報を管理制御部３５９に送信し、ステップＳ１５１に戻る。
【０１９２】
よって、上記で説明したように、処理制御部３５５、すなわち、アプリケーションは、処理制御部３５５側から管理情報の変更を行った場合、変更された管理アドレス及び管理情報を管理制御部３５９に転送する。
【０１９３】
図１９は、本実施の形態に係るエネルギー管理ゲートウェイ１３の制御例を説明するフローチャートであり、エネルギー管理ゲートウェイ１３の処理制御部３５５の通常のアプリケーションとしての処理の一例が示されている。
【０１９４】
ステップＳ１６１において、処理制御部３５５は、管理情報記憶領域３７１に格納されている最新値の管理情報をアプリケーション側のメモリにコピーして取得する。
【０１９５】
ステップＳ１６２において、処理制御部３５５は、管理情報記憶領域３７１に記憶された最新値の管理情報と変更履歴記憶領域３７３に記憶された過去の管理情報とを比較することによって、前回の変更が反映されているか否かを判定する。処理制御部３５５は、前回の変更が反映されている場合、ステップＳ１６３に進む。一方、処理制御部３５５は、前回の変更が反映されていない場合、ステップＳ１６４に進む。
【０１９６】
ステップＳ１６３において、処理制御部３５５は、前回の処理結果を破棄して元の状態に戻す。例えば、処理制御部３５５は、アプリケーション側のメモリに割り当てられた処理結果格納領域（図示せず）の中から、前回の処理結果を参照し、参照した前回の処理結果を元の状態に戻す。
【０１９７】
ステップＳ１６４において、処理制御部３５５は、所定のアプリケーション用出力の制御を実行する。ステップＳ１６５において、処理制御部３５５は、所定のアプリケーション用入力値を取りこむ。ステップＳ１６６において、処理制御部３５５は、アプリケーション用入出力情報を管理情報と同じ記憶部３５７、例えば、管理情報記憶領域３７１に並列に格納する。
【０１９８】
例えば、処理制御部３５５は、アプリケーション用入出力情報と、管理情報とが、同一時間で互いに参照可能とする構成をとることで、同じ時間軸に対する処理結果を参照可能である。また、例えば、処理制御部３５５は、同一タイミングで複数のデータを同時に格納できるように、アプリケーション用入出力情報を格納する記憶領域と、管理情報を格納する記憶領域とが、物理的に並列に構成されていると想定する。この場合も同じ時間軸に対する処理結果を参照可能である。また、例えば、処理制御部３５５は、アプリケーション用入出力情報を格納する記憶領域がＦＩＦＯ（Ｆｉｒｓｔ  Ｉｎ  Ｆｉｒｓｔ  Ｏｕｔ）を実現するデータ構造で構成され、管理情報を格納する記憶領域がＦＩＦＯを実現するデータ構造で構成されていると想定する。この場合も同じ時間軸に対する処理結果を参照可能である。なお、上記の説明は、アプリケーション用入出力情報を管理情報と共に管理情報記憶領域３７１に並列に格納する一例を示し、特にこれに限定されない。例えば、同一時刻に処理されたことを示す識別子が、アプリケーション用入出力情報と、管理情報とのそれぞれに付与されてもよい。
【０１９９】
ステップＳ１６７において、処理制御部３５５は、アプリケーションにて管理情報が更新（変更）されたか否かを判定する。処理制御部３５５は、アプリケーションにて管理情報が更新（変更）された場合、メモリに更新（変更）情報を記憶して、ステップＳ１６８へ進む。一方、処理制御部３５５は、アプリケーションにて管理情報が更新（変更）されない場合、処理を終了する。ステップＳ１６８において、処理制御部３５５は、管理制御部３５９に所定のタイミングで更新（変更）された管理情報を伝達（送信）し、処理を終了する。ステップＳ２０１において、管理制御部３５９は、変更履歴記憶領域３７３に管理情報を記憶し、処理を終了する。
【０２００】
よって、上記で説明したように、処理制御部はアプリケーションでの変更内容が処理制御部３５５から管理制御部３５９に伝達されるため、専用通信部３５３を介して、専用伝送線３３により空調設備２３及び汎用機器コントローラー１１に変更された管理情報を送信することができる。また、最新値の管理情報に基づいてアプリケーションが実行されるため、最新値の管理情報が反映された処理を行うことができる。また、アプリケーション用入出力情報と、管理情報とを並列に格納しているため、同じ時間軸上で実行された処理内容を容易に参照することができる。
【０２０１】
なお、図１５〜図１９の各動作は逐次実行であっても並列実行であってもよいが、通常においては、各処理が並列に実行されている。
【０２０２】
なお、上記の実施の形態での説明では、汎用機器コントローラー１１及びエネルギー管理ゲートウェイ１３は、それぞれ別々に演算が行われ、別々の筐体、すなわち、物理的に離れた位置に処理が実装される一例について説明したが、特にこれに限定されない。例えば、一つのサーバー装置に、汎用機器コントローラー１１の機能と、エネルギー管理ゲートウェイ１３の機能とが論理的に異なる形態で実装されてもよい。つまり、汎用機器コントローラー１１の機能と、エネルギー管理ゲートウェイ１３の機能とがそれぞれ実行されればよいため、その物理的な格納場所又は実行場所は特に限定されない。例えば、遠隔地にある複数のサーバー装置等に図１０〜図１９の各動作を分散処理させ、互いに演算結果の同期を取りながら処理が実行されてもよい。また、上記で説明したように、汎用機器コントローラー１１の機能と、エネルギー管理ゲートウェイ１３の機能とが論理的に異なる形態でそれぞれが仮想化されることで、１つのサーバー装置に２つの機能が実装されてもよい。
【０２０３】
以上のように、１又は複数の室内機５３と１又は複数の室外機５１とを有する空調設備２３と、空調設備２３専用の通信プロトコルに対応したネットワークである専用伝送線３３と、空調設備２３と専用伝送線３３を介して接続され、１又は複数の汎用機器２１が接続される汎用機器コントローラー１１と、空調設備２３及び汎用機器コントローラー１１と、専用伝送線３３を介して接続され、空調設備２３を管理するエネルギー管理ゲートウェイ１３と、を備え、エネルギー管理ゲートウェイ１３は、専用伝送線３３を介して空調設備２３との通信を可能にする専用通信部３０３と、専用通信部３０３を介して受信する各種情報のうち、空調設備２３を管理するために予め登録された管理情報を収集する管理制御部３５９と、収集された管理情報に基づいて、空調設備２３の管理に関する演算処理を実行し、空調設備２３を制御する処理制御部３５５と、を有し、汎用機器コントローラー１１は、空調設備２３及び汎用機器２１のそれぞれに対応した運転情報が受信又は入力され、運転情報に基づいて、汎用機器２１の制御を行う空気調和システム１が構成される。
【０２０４】
この構成で、エネルギー管理ゲートウェイ１３が、専用伝送線３３上で流れている他の装置に送る信号を含めて受信し、取得すべきデータを含んでいれば取得処理するようにしたので、各機器がそれぞれデータに係る信号送信を要求しなくても、所望するデータを取得することができ、また要求毎に同じデータを含む信号を専用伝送線に流す必要がないので、システム全体の通信トラフィックの増加を防ぐことができる。
【符号の説明】
【０２０５】
１  空気調和システム、１１  汎用機器コントローラー、１３  エネルギー管理ゲートウェイ、２１  汎用機器、２３  空調設備、２５  外部装置、３１  入出力信号線、３３  専用伝送線、３５  汎用伝送線、４１  冷媒配管、５１  室外機、５３  室内機、６１  室外機温度センサー、６３  室内機湿度センサー、６５  室内機温度センサー、７１  空調制御リモートコントローラー、７３  表示部、７５  操作部、８１  照度センサー、８３  人感センサー、８５、１０７  温度／湿度センサー、９１  エネルギー管理装置、９３  ＷＥＢブラウザ、９５  無線送信機器、９７  タブレット端末、１０１  加湿器、１０３  ヒーター、１０５  換気扇、１１１  圧縮機、１１３  四方切換弁、１１５  室外機側熱交換器、１１７  室外機側膨張弁、１１９  アキュムレーター、１２１  室外機側ファン、１３１  室外機制御手段、１３３  室外機通信手段、２１５  室内機側熱交換器、２１７  室内機側膨張弁、２２１  室内機側ファン、２３１  室内機制御手段、２３３  室内機通信手段、３０１  受電部、３０３  専用通信部、３０４  機器制御部、３０５  空調設備管理部３０５  汎用機器管理部、３１１  空調設備設定部、３１３  空調設備制御部、３２１  汎用機器設定部、３２３  汎用機器制御部、３２５  汎用機器入出力部、３３１  汎用機器入力部、３３３  汎用機器出力部、３５１  汎用通信部、３５３  専用通信部、３５５  処理制御部、３５７  記憶部、３５９  管理制御部、３７１  管理情報記憶領域、３７３  変更履歴記憶領域、３７５  変更内容規制領域、３８１  管理情報収集部、３８３  管理情報変更部、３８５  変更内容規制部。
【図１】
0006021951.tif 000002
【図２】
0006021951.tif 000003
【図３】
0006021951.tif 000004
【図４】
0006021951.tif 000005
【図５】
0006021951.tif 000006
【図６】
0006021951.tif 000007
【図７】
0006021951.tif 000008
【図８】
0006021951.tif 000009
【図９】
0006021951.tif 000010
【図１０】
0006021951.tif 000011
【図１１】
0006021951.tif 000012
【図１２】
0006021951.tif 000013
【図１３】
0006021951.tif 000014
【図１４】
0006021951.tif 000015
【図１５】
0006021951.tif 000016
【図１６】
0006021951.tif 000017
【図１７】
0006021951.tif 000018
【図１８】
0006021951.tif 000019
【図１９】
0006021951.tif 000020